(57)【要約】  リム部を有さないトイレであり、本体および流体を受け入れるための入口を有するトイレ便器アセンブリを含む、サイホン式の重力式トイレが提供される。トイレ便器は、トイレ便器の上側縁の下方に形成された棚部を中に有するように構成された上側周囲部分を備えた内部便器表面を有する。リム部を有さないトイレは、噴出入口、出口、および少なくとも１つの噴出チャネルを有する噴出部を含む。マニホールドが含められ、このマニホールドは、トイレ便器アセンブリの入口に入った流体が、直接供給噴出部の入口に入る部分と、トイレ便器の内部領域に入る部分とに分かれるように構成される。少なくとも１つのトイレ便器入口ポートは、トイレ便器の上側後部分に配置される。少なくとも１つの入口ポートは、流体の少なくとも一部分が、トイレ便器の下側部分内に進む前にトイレ便器の棚部に沿って進行するように、流体をマニホールドからトイレ便器の内部領域内に受け入れるように構成される。
2015518097.tif 000002
【特許請求の範囲】
【請求項１】
トイレ便器アセンブリを有する、リム部を有さない、サイホン式の重力式トイレであって、前記トイレ便器アセンブリが、
トイレ便器アセンブリ本体および流体源から流体を受け入れるためのトイレ便器アセンブリ入口と、
上側周囲縁を備えた内部便器表面を有する、前記トイレ便器アセンブリ本体内のトイレ便器であって、
前記トイレ便器の前記内部便器表面が、水洗中に流体を受け入れるための内部領域を画定し、
前記内部領域が、前記トイレ便器アセンブリ入口と流体連通しており、
前記内部便器表面の上側周囲部分が、その中に、前記上側周囲縁下方の内部便器表面の上側周囲部分の少なくとも一部に沿って形成された棚部を有するように構成される、トイレ便器と、
下水出口と流体連通するためのトイレ便器アセンブリ出口と、
前記トイレ便器アセンブリ入口と流体連通している噴出入口、前記トイレ便器アセンブリ出口と連通している噴出出口、および前記噴出入口と前記噴出出口の間を延びる少なくとも１つの噴出チャネルを有する、噴出部と、
マニホールド領域を中に有するマニホールドであって、前記トイレ便器アセンブリ入口に入った流体が、前記噴出部の前記入口に入るための第１の部分と、前記トイレ便器の前記内部領域に入るための第２の部分とに分かれるように構成される、マニホールドと、
前記トイレ便器の上側後部分に配置された少なくとも１つのトイレ便器入口ポートであって、前記少なくとも１つの入口ポートは、流体の少なくとも一部分が前記トイレ便器の下側部分内に進む前に前記トイレ便器の前記棚部に沿って進行するように、前記流体を前記マニホールドから前記トイレ便器の前記内部領域内に受け入れるように構成される、少なくとも１つのトイレ便器入口ポートとを備える、リム部を有さない、サイホン式の重力式トイレ。
【請求項２】
２つのトイレ便器入口ポートが存在し、各々が、前記トイレ便器の前記内部領域に入った流体が、前記棚部に沿って対向する方向に進むように配置される、請求項１に記載のリム部を有さない、サイホン式の重力式トイレ。
【請求項３】
前記２つのトイレ便器入口ポートの間辺りの前記トイレ便器の前記内部表面の後部領域を清掃するために、開口部が、流体の一部分を前記マニホールドおよび／または前記噴出チャネルから前記トイレ便器内にほぼ下方向に導くために前記２つのトイレ便器入口ポート間に設けられる、請求項２に記載のリム部を有さない、サイホン式の重力式トイレ。
【請求項４】
前記トイレ便器が、さらに、前記２つのトイレ便器入口ポート間の前記開口部を少なくとも部分的に覆うように配置された分配器を備える、請求項３に記載のリム部を有さない、サイホン式の重力式トイレ。
【請求項５】
前記分配器が、前記開口部を覆って延びるように位置付けられたカバーを備える、請求項４に記載のリム部を有さない、サイホン式の重力式トイレ。
【請求項６】
前記分配器が、分配器ガイド、締結具、および分配器ロックを備えるアセンブリである、請求項４に記載のリム部を有さない、サイホン式の重力式トイレ。
【請求項７】
前記アセンブリが、カバーをさらに備える、請求項６に記載のリム部を有さない、サイホン式の重力式トイレ。
【請求項８】
２つのトイレ便器本体入口ポートが存在し、各々が、前記トイレ便器の前記内部領域に入った流体が、前記棚部に沿って対向する方向に進むように配置され、さらに、前記２つのトイレ便器入口ポートの間辺りの前記トイレ便器の前記内部表面の後部領域を清掃するために、流体の一部分を前記マニホールドおよび／または前記噴出チャネルから前記トイレ便器内にほぼ下方向に導くための、前記２つのトイレ便器本体入口ポート間の開口部を備える、請求項１に記載のリム部を有さない、サイホン式の重力式トイレ。
【請求項９】
前記２つのトイレ便器入口ポート間の前記開口部を少なくとも部分的に覆うように配置された分配器をさらに備える、請求項８に記載のリム部を有さない、サイホン式の重力式トイレ。
【請求項１０】
前記棚部が、その上側表面上で横断方向に測定された幅を有し、前記棚部の前記幅は、前記棚部の正面部分よりも前記棚部の後部分において最も大きい、請求項１に記載のリム部を有さない、サイホン式の重力式トイレ。
【請求項１１】
前記棚部の前記幅が、前記棚部の前記後部分から前記棚部の前記正面部分まで徐々に低減する、請求項１０に記載のリム部を有さない、サイホン式の重力式トイレ。
【請求項１２】
前記棚部が、前記トイレ便器の前記上側周囲部分全体の周りを延びない、請求項１０に記載のリム部を有さない、サイホン式の重力式トイレ。
【請求項１３】
前記噴出入口が、前記マニホールドの下側部分内に存在する、請求項１に記載のリム部を有さない、サイホン式の重力式トイレ。
【請求項１４】
前記トイレアセンブリが、さらに、少なくとも２つの異なる水洗量を用いた前記トイレの作動を可能にする機構を備える、請求項１に記載のリム部を有さない、サイホン式の重力式トイレ。
【請求項１５】
トイレ便器アセンブリが、前記トイレ便器の前記上側周囲縁によって画定された平面に対して横断する方向に延びる長手方向軸を有し、前記主要マニホールドが、前記トイレ便器の前記長手方向軸に対してほぼ横断する方向に延びる、請求項１に記載のリム部を有さない、サイホン式の重力式トイレ。
【請求項１６】
前記少なくとも１つの噴出チャネルが、前記トイレ便器アセンブリ本体の内部内で前記トイレ便器の外側周りを延び、前記噴出出口は、前記噴出チャネルからの流体が、前記トイレ便器の前記底部内に入り、それによって前記トイレ便器内の前記棚部に少なくとも部分的に沿って進行した流体と合流するように配置される、請求項１に記載のリム部を有さない、サイホン式の重力式トイレ。
【請求項１７】
２つの噴出チャネルが前記噴出部内に形成され、各々のチャネルは、前記トイレ便器アセンブリ本体の内部で前記トイレ便器の外側周りを延び、前記噴出出口において合流する、請求項１６に記載のリム部を有さない、サイホン式の重力式トイレ。
【請求項１８】
前記少なくとも１つの噴出チャネルが、前記トイレ便器アセンブリ本体の内部の前記噴出入口から延び、前記トイレ便器の外側周りを進み、前記噴出チャネルは、前記トイレ便器の前記棚部のほぼ下方の前記トイレ便器アセンブリ本体内に画定された空間内に少なくとも部分的に存在するように配置され、前記噴出出口は、前記噴出チャネルからの流体が、前記便器の前記上側周囲部分の近位の前記トイレ便器の正面領域において前記便器に入るように配置され、それにより、前記噴出チャネルから前記噴出出口に入った流体は、前記便器の前記正面において前記内部便器表面に沿ってほぼ下方向に進行し、それによって前記トイレ便器内の前記棚部に少なくとも部分的に沿って進行した流体と合流する、請求項１に記載のリム部を有さない、サイホン式の重力式トイレ。
【請求項１９】
２つの噴出チャネルが前記噴出部内に形成され、各々のチャネルが、前記トイレ便器アセンブリ本体の内部で前記トイレ便器の外側周りを延び、前記噴出出口において交わる、請求項１８に記載のリム部を有さない、サイホン式の重力式トイレ。
【請求項２０】
中空チャネルが、前記周囲縁の下の前記トイレの前記上側周囲部分内に形成され、前記マニホールドと流体連通している少なくとも１つの中空チャネル入口と、第２の棚部と連通している少なくとも１つの中空チャネル出口であって、前記第２の棚部が、少なくとも１つの中空チャネル出口とそこから出た流体を受け入れるために位置合わせして配置され、前記少なくとも１つの入口ポートと位置合わせされた前記棚部の上方に配置される、少なくとも１つの中空チャネル出口とを有する、請求項１に記載のリム部を有さない、サイホン式の重力式トイレ。
【請求項２１】
前記第２の棚部が、前記第２の棚部上で横断方向に測定された幅を有し、前記幅は、前記トイレ便器の正面に向かって低減し、前記第２の棚部から流れた流体が、前記少なくとも１つの入口ポートと位置合わせされた前記棚部上を流れる流体と合流した後、前記合流した流れが、前記トイレ便器の前記下側部分内に進む、請求項２０に記載のリム部を有さない、サイホン式の重力式トイレ。
【請求項２２】
トイレ便器アセンブリを有する、リム部を有さない、サイホン式の重力式トイレであって、前記トイレ便器アセンブリが、
トイレ便器アセンブリ本体および流体源から流体を受け入れるためのトイレ便器アセンブリ入口と、
上側周囲縁を備えた内部便器表面を有する、前記トイレ便器アセンブリ本体内のトイレ便器であって、
前記トイレ便器の前記内部便器表面が、水洗中に流体を受け入れるための内部領域を画定し、
前記内部領域が、前記トイレ便器アセンブリ入口と流体連通しており、
前記内部便器表面の上側周囲部分が、その中に、前記上側周囲縁下方の内部便器表面の上側周囲部分の少なくとも一部に沿って形成された棚部を有するように構成される、トイレ便器と、
下水出口と流体連通するためのトイレ便器アセンブリ出口と、
前記トイレ便器アセンブリ入口と流体連通している噴出入口、前記トイレ便器アセンブリ出口と連通している噴出出口、および前記噴出入口と前記噴出出口の間を延びる少なくとも１つの噴出チャネルを有する、噴出部であって、前記少なくとも１つの噴出チャネルが、前記トイレ便器アセンブリ本体の内部で前記トイレ便器の外側周りを延び、前記噴出出口は、前記噴出チャネルからの流体が前記トイレ便器内に入り、それによって前記トイレ便器内の前記棚部に少なくとも部分的に沿って進行した流体と合流するように配置される、噴出部と
マニホールド領域を中に有するマニホールドであって、前記トイレ便器アセンブリ入口に入った流体が、前記噴出部の前記入口に入るための第１の部分と、前記トイレ便器の前記内部領域に入るための第２の部分とに分かれるように構成される、マニホールドと、
前記トイレ便器の上側後部分に配置された２つのトイレ便器入口ポートであって、各々の入口ポートは、流体の一部分が前記トイレ便器の下側部分内に進む前に前記トイレ便器の前記棚部に沿って対向する方向に進行するように、前記流体を前記マニホールドから前記トイレ便器の前記内部領域内に受け入れるように構成される、２つのトイレ便器入口ポートとを備える、リム部を有さない、サイホン式の重力式トイレ。
【請求項２３】
前記２つのトイレ便器入口ポートの間辺りの前記トイレ便器の前記内部表面の後部領域を清掃するために、開口部が、流体の一部分を前記マニホールドおよび／または前記噴出チャネルから前記トイレ便器内にほぼ下方向に導くために前記２つのトイレ便器入口ポート間に設けられる、請求項２２に記載のリム部を有さない、サイホン式の重力式トイレ。
【請求項２４】
前記トイレ便器が、さらに、前記２つのトイレ便器入口ポート間の前記開口部を少なくとも部分的に覆うように配置された分配器を備える、請求項２３に記載のリム部を有さない、サイホン式の重力式トイレ。
【請求項２５】
前記分配器が、前記開口部を覆って延びるように位置付けられたカバーを備える、請求項２４に記載のリム部を有さない、サイホン式の重力式トイレ。
【請求項２６】
前記分配器が、分配器ガイド、締結具、および分配器ロックを備えるアセンブリである、請求項２４に記載のリム部を有さない、サイホン式の重力式トイレ。
【請求項２７】
前記アセンブリが、さらに、カバーを備える、請求項２６に記載のリム部を有さない、サイホン式の重力式トイレ。
【請求項２８】
前記棚部が、前記トイレ便器の前記上側周囲部分全体周りを延びない、請求項２２に記載のリム部を有さない、サイホン式の重力式トイレ。
【請求項２９】
前記噴出入口が、前記マニホールドの下側部分内に存在する、請求項２２に記載のリム部を有さない、サイホン式の重力式トイレ。
【請求項３０】
前記噴出出口は、前記噴出チャネルからの流体が、前記トイレ便器の前記底部に入るように配置される、請求項２２に記載のリム部を有さない、サイホン式の重力式トイレ。
【請求項３１】
２つの噴出チャネルが前記噴出部内に形成され、各々のチャネルが、前記トイレ便器アセンブリ本体の内部で前記トイレ便器の外側周りを延び、前記噴出出口において交わる、請求項２２に記載のリム部を有さない、サイホン式の重力式トイレ。
【請求項３２】
前記噴出チャネルが、前記トイレ便器の前記棚部のほぼ下方の前記トイレ便器アセンブリ本体内に画定された空間内に少なくとも部分的に存在するように配置され、前記噴出出口は、前記噴出チャネルからの流体が、前記便器の前記上側周囲部分の近位の前記トイレ便器の正面領域において前記便器に入るように配置され、それにより、前記噴出チャネルから前記噴出出口に入った流体が、前記便器の正面において前記内部便器表面に沿ってほぼ下方向に進行する、請求項２２に記載のリム部を有さない、サイホン式の重力式トイレ。
【請求項３３】
リム部を有さない、サイホン式の重力式トイレであって、
（ａ）トイレ便器アセンブリであって、
トイレ便器アセンブリ本体および流体源から流体を受け入れるためのトイレ便器アセンブリ入口と、
上側周囲縁を備えた内部便器表面を有する、前記トイレ便器アセンブリ本体内のトイレ便器であって、
前記トイレ便器の内部便器表面が、水洗中に流体を受け入れるための内部領域を画定し、
前記内部領域が、前記トイレ便器アセンブリ入口と流体連通しており、
前記内部便器表面の上側周囲部分が、その中に、前記上側周囲縁下方の前記内部便器表面の上側周囲部分の少なくとも一部に沿って形成された棚部を有するように構成される、トイレ便器と、
下水出口と流体連通するためのトイレ便器アセンブリ出口と、
前記トイレ便器アセンブリ入口と流体連通している噴出入口、前記トイレ便器アセンブリ出口と連通している噴出出口、および前記噴出入口と前記噴出出口の間を延びる少なくとも１つの噴出チャネルを有する噴出部と、
マニホールド領域を中に有するマニホールドであって、前記トイレ便器アセンブリ入口に入った流体が、前記噴出部の前記入口に入るための第１の部分と、前記トイレ便器の前記内部領域に入るための第２の部分とに分かれるように構成される、マニホールドと、
前記トイレ便器の上側後部分に配置された少なくとも１つのトイレ便器入口ポートであって、前記少なくとも１つの入口ポートは、流体の少なくとも一部分が前記トイレ便器の下側部分内に進む前に前記トイレ便器の前記棚部に沿って進行するように、前記流体を前記マニホールドから前記トイレ便器の前記内部領域内に受け入れるように構成される、少なくとも１つのトイレ便器入口ポートとを備える、トイレ便器アセンブリと、
（ｂ）前記トイレの前記上側周囲縁を覆って嵌合するように構成された便座であって、前記トイレ便器の前記上側周囲縁と接触するための便座バンパを有する下側表面を備え、前記バンパは、前記便座が前記トイレ便器の前記上側周囲縁を覆う下げられた位置にあるとき、前記トイレ便器の前記上側周囲縁と当接する、便座とを備える、リム部を有さない、サイホン式の重力式トイレ。
【請求項３４】
リム部を有さない、サイホン式の重力式トイレであって、
（ａ）トイレ便器アセンブリであって、
トイレ便器アセンブリ本体および流体源から流体を受け入れるためのトイレ便器アセンブリ入口と、
上側周囲縁を備えた内部便器表面を有する、前記トイレ便器アセンブリ本体内のトイレ便器であって、
前記トイレ便器の前記内部便器表面が、水洗中に流体を受け入れるための内部領域を画定し、
前記内部領域が、前記トイレ便器アセンブリ入口と流体連通しており、
前記内部便器表面の上側周囲部分が、その中に、前記上側周囲縁下方の前記内部便器表面の上側周囲部分の少なくとも一部に沿って形成された棚部を有するように構成される、トイレ便器と、
下水出口と流体連通するためのトイレ便器アセンブリ出口と、
前記トイレ便器アセンブリ入口と流体連通している噴出入口、前記トイレ便器アセンブリ出口と連通している噴出出口、および前記噴出入口と前記噴出出口の間を延びる少なくとも１つの噴出チャネルを有する噴出部と、
マニホールド領域を中に有するマニホールドであって、前記トイレ便器アセンブリ入口に入った流体が、前記噴出部の前記入口に入るための第１の部分と、前記トイレ便器の前記内部領域に入るための第２の部分とに分かれるように構成される、マニホールドと、
前記トイレ便器の上側後部分に配置された少なくとも１つのトイレ便器入口ポートであって、流体の少なくとも一部分が前記トイレ便器の下側部分内に進む前に前記トイレ便器の前記棚部に沿って進行するように、前記流体を前記マニホールドから前記トイレ便器の前記内部領域内に受け入れるように構成される、少なくとも１つのトイレ便器入口ポートとを備える、トイレ便器アセンブリと、
（ｂ）前記トイレの前記上側周囲縁を覆って嵌合するように構成された便座であって、前記トイレ便器の前記上側周囲縁と接触するための便座バンパを有する下側表面を備え、前記バンパは、前記便座が前記トイレの前記上側周囲縁を覆う下げられた位置にあるとき、前記トイレ便器の前記上側周囲縁と当接する、便座と、
（ｃ）上側部分および下方向に延びる部分と、外部表面と、内部表面とを有する水はねガードであって、前記便座の下におよび前記トイレ便器の前記後部分の上方に嵌合するように、前記トイレ便器の前記後部分の形状を補完するように、そして、前記トイレ便器の前記後部分から流れの方向に前記便器の前記上側周囲縁に少なくとも部分的に沿って前記トイレの前記正面に向かって延び、それによって前記少なくとも１つのトイレ入口ポートを少なくとも覆い、上方向の水はねを遮る、外方向に延びる端部分を有するように構成される、水はねガードとを備える、リム部を有さない、サイホン式の重力式トイレ。
【請求項３５】
前記水はねガードが、外方向に延びる部分に沿って横断面内でほぼ直角を形成する、請求項３４に記載のリム部を有さない、サイホン式の重力式トイレ。
【請求項３６】
前記水はねガードの外方向に延びる部分が、前記便座上の前記バンパの後方で終端する、請求項３４に記載のリム部を有さない、サイホン式の重力式トイレ。
【請求項３７】
前記水はねガードが、前記便座上のヒンジに向かって後方に延びるように構成された後方向に延びる部分を有する、請求項３４に記載のリム部を有さない、サイホン式の重力式トイレ。
【請求項３８】
２つのトイレ便器入口ポートおよび２つの外方向に延びる端部分が、前記水はねガード上に存在する、請求項３４に記載のリム部を有さない、サイホン式の重力式トイレ。
【請求項３９】
前記トイレが、さらに、前記２つのトイレ便器入口ポートの間辺りの前記トイレ便器の前記内部表面の後部領域を清掃するために流体の一部分を前記マニホールドおよび／または前記噴出チャネルから前記トイレ便器内にほぼ下方向に導くための、前記２つのトイレ便器入口ポート間に配置された開口部と、前記２つのトイレ便器入口ポート間の前記開口部を少なくとも部分的に覆うように配置された分配器とを備える、請求項３８に記載のリム部を有さない、サイホン式の重力式トイレ。
【請求項４０】
リム部を有さないトイレ用のトイレ水はねガードであって、
上側部分および下方向に延びる部分と、外部表面と、内部表面とを備え、便座の下におよびリム部を有さないトイレ便器の後部分の上方に嵌合するように、リム部を有さないトイレ便器の後部分の形状を補完するように、そして、リム部を有さないトイレ便器の後部分から流れの方向に、リム部を有さないトイレ便器の上側周囲縁に少なくとも部分的に沿って、リム部を有さないトイレ便器の正面に向かって延び、それによって上方向の水はねを遮る、外方向に延びる端部分を有するように構成される、トイレ水はねガード。
【請求項４１】
請求項４０の前記トイレ水はねガードを備える、リム部を有さないトイレ用の便座アセンブリ。
【請求項４２】
トイレ便器アセンブリを有する、リム部を有さない、サイホン式の重力式トイレであって、前記トイレ便器アセンブリが、
トイレ便器アセンブリ本体および流体源から流体を受け入れるためのトイレ便器アセンブリ入口と、
上側表面に沿って上側周囲縁を備えた内部便器表面を有する、前記トイレ便器アセンブリ本体内のトイレ便器であって、
前記トイレ便器の前記内部便器表面が、水洗中に流体を受け入れるための内部領域を画定し、
前記内部領域が、前記トイレ便器アセンブリ入口と流体連通しており、
前記内部便器表面の上側周囲部分が、その中に、前記上側周囲縁下方の前記内部便器表面の上側周囲部分の少なくとも一部に沿って形成された棚部を有するように構成される、トイレ便器と、
下水出口と流体連通するためのトイレ便器アセンブリ出口と、
前記トイレ便器アセンブリ入口と流体連通している噴出入口、前記トイレ便器アセンブリ出口と連通している噴出出口、および前記噴出入口と前記噴出出口の間を延びる少なくとも１つの噴出チャネルを有する噴出部と、
マニホールド領域を中に有するマニホールドであって、前記トイレ便器アセンブリ入口に入った流体が、前記噴出部の前記入口に入るための第１の部分と、前記トイレ便器の前記内部領域に入るための第２の部分とに分かれるように構成される、マニホールドと、
前記トイレ便器の上側後部分に配置された少なくとも１つのトイレ便器入口ポートであって、前記少なくとも１つの入口ポートは、流体の少なくとも一部分が前記トイレ便器の下側部分内に進む前に前記トイレ便器の前記棚部に沿って進行するように、前記流体を前記マニホールドから前記トイレ便器の前記内部領域内に受け入れるように構成される、少なくとも１つのトイレ便器入口ポートとを備え、
前記トイレ便器の前記上側表面の一部分が、前記少なくとも１つの入口ポートから前記棚部に入る水に対する水はねガードとして作動するために、前記少なくとも１つの入口ポートおよび前記棚部の後部分を覆うように下方向に延びるように構成される、リム部を有さない、サイホン式の重力式トイレ。
【請求項４３】
水はねガードとして作動する前記トイレ便器の前記上側表面の部分が、横断面においてほぼ直角を形成する、請求項４２に記載のリム部を有さない、サイホン式の重力式トイレ。
【請求項４４】
水はねガードとして作動する前記トイレ便器の前記上側表面の部分の外方向に延びる部分が、便座が前記トイレ便器の前記上側周囲縁と接触する位置の後方向で終端するように構成される、請求項４２に記載のリム部を有さない、サイホン式の重力式トイレ。
【請求項４５】
２つのトイレ便器入口ポートおよび２つの外方向に延びる端部分が、水はねガードとして作動する前記トイレ便器の前記上側部分上に存在する、請求項４２に記載のリム部を有さない、サイホン式の重力式トイレ。
【請求項４６】
前記トイレが、さらに、前記２つのトイレ便器入口ポートの間辺りの前記トイレ便器の前記内部表面の後部領域を清掃するために、流体の一部分を前記マニホールドおよび／または前記噴出チャネルから前記トイレ便器内にほぼ下方向に導くための、前記２つのトイレ便器入口ポート間に配置された開口部と、前記２つのトイレ便器入口ポート間の前記開口部を少なくとも部分的に覆うように配置された分配器とを備える、請求項４５に記載のリム部を有さない、サイホン式の重力式トイレ。
【発明の詳細な説明】
【技術分野】
【０００１】
本発明は、人および他の排せつ物の除去のためのトイレの分野に関する。本発明は、さらに、リム部を有さずに効果的に水洗するように作動するトイレの分野に関する。
【背景技術】
【０００２】
関連出願の相互参照
本出願は、その全体的開示が参照によって本明細書に組み込まれる、２０１２年２月２４日出願の米国仮特許出願第６１／６０３，２３２号明細書の米国特許法第１１９条（ｅ）による利益を主張するものである。
【０００３】
人糞などの排せつ物を除去するためのさまざまなトイレが、よく知られている。ほとんどのトイレは、重力によって動力供給され、通常は２つの主なセクション、すなわちタンクおよび便器を有する。タンクおよび便器は別個の部分であり、これらは一緒に結合してトイレシステム（一般的にはツーピーストイレと称される）を形成し、または１つの一体型ユニット（通常はワンピーストイレと称される）になるように組み合わせることができる。
【０００４】
通常、便器の後部の上方に配置されるタンクは、排せつ物を便器から下水道に水洗することを開始すると共に、便器に新鮮な水を補充するために使用される水を含む。全てのトイレが、たとえば、多くの商業ビル内のようにインラインの水洗機構が取り付けられているタンクを有するわけではない。ユーザは、トイレを水洗することを望むときに、水洗機構を作動させる。そのような水洗機構は、タンクを有さないトイレの後方の壁内に位置する、壁に装着されたトイレの後部の上方に配置される、またはタンク内に位置付けられ得る。水洗レバーを作動させると、たとえばタンクの外側のハンドルを押し下げると、水洗サイクルが開始する。典型的な例として、そのような水洗レバーが押し下げられたとき、これは、タンクの内側の、水洗弁を持ち上げて開くように作動する鎖またはレバーを動かして、水をタンクから便器内に流れさせ、トイレの水洗を開始する。
【０００５】
ほとんどのトイレが、特定の水洗サイクル内に含めるように設計される３つの一般的な機能が存在する。第１の機能は、固体および他の排せつ物の排水路への除去である。第２の機能は、便器の表面に堆積された、または付着した全ての固体または液体の排せつ物を除去するための便器の洗浄であり、第３の機能は、相対的にきれいな水が、使用していないときに便器内に留まるように便器内の事前水洗水量を入れ替えることである。
【０００６】
３つの上述した機能を達成するために、トイレ便器の設計は、便鉢、トラップウエイ、およびリム部から構成された一般的な全体構造を採用している。便鉢は、事前水洗水のリザーバおよび排せつ物の収集部としての役割を果たす。トラップウエイは、便鉢を排水路に流体的に結合させ、下水ガスの逆流を遮る。通常、水洗水を運ぶことができる中空部材として形成されるリム部は、水を便鉢の表面周りに分散させて洗浄する。
【０００７】
洗浄は、時に、この標準構造を有するトイレには問題となり、これは、トイレが便器の主要便鉢を洗うための良好な水洗設計を有している場合でも、リム部の下方では良好な清掃作用を実現することは難しいためである。リム部出口ポートは通常、リム部の下面に配置され、流れを下方向および外方向に便鉢の壁に向かって方向付ける。通常、この水をリム部自体の洗浄に方向付けるための機構は設けられない。汚れ、人糞、および細菌が、リム部上およびその下方に蓄積する恐れがあり、この場合、手動による清掃のみが、これを除去する役目を果たす。リム部の下面は、便器の清掃人には容易に見えないため、潜在的に有害な物質が長期にわたってリム部の下方に留まり得る。実際、調査では、サルモネラ菌は、清掃を試みたとしても、４週間までトイレ便器のリム部の下方で生き延び得ることが示されている。Ｊ．Ｂａｒｋｅｒらの、Ｊ．Ａｐｐｌ．Ｍｉｃｒｏｂｉｏｌｏｇｙ  ２０００、８９、１２７〜１４４頁を参照のこと。
【０００８】
トイレ便器の標準的な便鉢−トラップウエイ−リム部構造によって提示される第２の関連する問題は、直立状態の男性用の小便器としての効果的な使用である。標準的な構造は、便鉢の表面上から突き出たリム部を有し、このリム部は、尿の流れを受け入れるために利用可能な領域を低減する。その結果、標準的な構造のトイレのリム部は、逸脱した流れによってより汚れやすい。また、先に述べたように、通常、水洗サイクル中のリム部自体の自動清掃のための機構は設けられない。そのような状況では、手動清掃が必要とされる。
【０００９】
トイレ便器の標準的な便鉢−トラップウエイ−リム部構造によって提示される第３の問題は、溶化磁器内にそのような外形を製造する複雑性に関連するものである。突き出たリム部は、トイレ便器の外形を形成するための型のより複雑な構成を必要とする。リム部のアンダーカットセクション（すなわち、リム部の下面と便鉢の接合部）は、型を鋳造後に所定位置に係止せずに単一型から形成することはできない。所望の外形は、（１）リム部を便鉢とは別個の物体として鋳造し、これら２つを互いにくっつけることによって、または（２）単一の物体としてトイレを形成するように組み立ておよび分解でき、便鉢およびリム部のアンダーカットを形成する型を取り外すこともできる、ルーズモールドの組を利用することによって形成されなければならない。
【００１０】
重力式トイレは、さらに２つの一般的な種類、すなわち洗い落とし式およびサイホン式に分類することができる。洗い落とし式トイレは、便器内の水レベルを常に比較的一定なままにすることを可能にする。水洗サイクルが開始されると、水はタンクから流れ、便器内に流れ込む。このため水レベルはすばやく上昇し、余分な水がトラップウエイの堰に溢れ、この水と共に液体および固体排せつ物を運ぶ。水洗サイクルの終了時、便器内の水レベルは、堰の高さによって決定された均衡レベルに自然に戻る。
【００１１】
サイホン式トイレでは、トラップウエイおよび他の水圧チャネルは、水が便器に加えられたときにトラップウエイ内でサイホン作用が開始されるように設計される。サイホンチューブ自体は、水をトイレ便器から排水管に引っ張る逆Ｕ字形状のチューブである。水洗サイクルが開始されると、水は便器内に流れ、これが下水管への出口を出ることができるよりも速くトラップウエイ内の堰から溢れる。十分な空気が、最終的にトラップウエイの下降脚部から取り除かれてサイホン作用を開始し、それによって次に残りの水を便器から引き出す。サイホン作用が破られたときの便器内の水レベルは、その結果堰の高さを大きく下回り、サイホン式水洗サイクルの終了時には、元の水レベルおよび下水ガスの逆流に対する保護「封止」を再確立するために、トイレの便器に補充するための別個の機構が設けられることが必要である。
【００１２】
サイホン式および洗い落とし式トイレは、固有の利点および欠点を有する。サイホン式トイレは、サイホン作用を開始するためには空気のほとんどをトラップウエイの下降脚部から除去しなければならないという要求事項により、結果として詰まりを引き起こし得る、より小さいトラップウエイを有する傾向がある。洗い落とし式トイレは、大きいトラップウエイと共に機能することができるが、ほとんどの国における配管規則によって必要とされる１００：１の希釈レベル（すなわち便器内の事前水洗水量の９９％は、水洗サイクル中、便器から除去され、新しい水に置き換えられなければならない）を達成するために便器内の事前水洗水の量をより少なくすることが通常必要とされ得る。この少ない事前水洗量は、少ない「水スポット」として現れる。便器内の事前水洗水の水スポットまたは表面領域は、トイレの清潔性を維持する上で重要な役割を果たす。水スポットが大きいと、排せつ物質が、トイレのセラミック表面に接触する前に水と接触する可能性を高める。このため、排せつ物質のセラミック表面への付着が低減され、トイレが水洗サイクルを介してそれ自体を清掃することがより容易になる。そのため、水スポットが小さい洗い落とし式トイレは、使用後の便器の手動の清掃が頻繁に必要となる。
【００１３】
サイホン式トイレは、便器内のより多い事前水洗水量およびより大きい水スポットと共に機能することができるという利点を有する。これは、サイホン作用が、事前水洗水量の大部分を水洗サイクルの終了時に便器から引き出すために可能である。タンクが補充されるとき、補充水の一部分は、事前水洗水量をその元のレベルに戻すために便器内に向けられる。この方法では、多くの配管規則によって必要とされる１００：１の希釈レベルは、便器内の水の開始量がタンクから出た水洗水よりかなり多い場合であっても達成される。北米市場では、サイホン式トイレは幅広く受け入れられており、現在では標準的に受け入れられるトイレの形態とみなされている。欧州市場では、洗い落とし式トイレが依然としてより受け入れられ人気があるが、アジア市場ではいずれのバージョンも一般的である。
【００１４】
重力式のサイホン式トイレは、水洗作用を達成するために使用される水圧チャネルの設計に応じて３つの一般的な種類にさらに細かく分類され得る。これらの種類は、非噴出型、リム部噴出型、および直接噴出型である。
【００１５】
非噴出型便器では、水洗水の全てがタンクから出て便器入口領域内に入り、主要マニホールドを流れ抜けて標準リム部内のリム部チャネルに入る。水は通常、上記で指摘したようにリム部の下側部分内の一連の穴を通って出る。下降脚部内の空気を十分変位させてサイホン作用を開始するのに十分なすばやさでトラップウエイの堰を水で溢れさせるためには、相対的に高い流量が必要とされる。非噴出型便器は、一般的には、便鉢の洗浄に関しては十分良好なパフォーマンスを有するが、リム部自体の表面を清掃するための機構は通常設けられていない。大量の除去は相対的に不十分であり、これはトラップウエイへの水の供給が不十分かつ乱流であり、それによってトラップウエイの下降脚部を十分に充填し、強いサイホン作用を開始することがより困難になるためである。その結果、非噴出型トイレのトラップウエイは、一般的には直径がより小さく、水の流れを妨げるように設計された曲がり部および狭窄部を含む。より小さいサイズ、曲がり部、および狭窄部無しでは、強いサイホン作用は達成されない。残念なことに、より小さいサイズ、曲がり部および狭窄部の結果、大量の排せつ物除去に関するパフォーマンスの低下および頻繁な詰まり現象、つまりエンドユーザにとって極めて不満足である状態をもたらす。そのような詰まり現象はまた、容易に水洗するまたは詰まりを無くす前に、排せつ物が便器内に留まる、またはトラップウエイを遮る機会を有する場合、清潔性に関する問題も招き得る。
【００１６】
トイレの設計者および技術者は、「サイホン噴出」を組み込むことによってサイホン式トイレの大量の排せつ物の除去を改良した。リム部噴出型トイレ便器では、上記で指摘したように、水洗水はタンクから出て、マニホールド入口領域を流れ抜け、主要マニホールドを通って中空のリム部チャネルに入る。水はまた、リム部の下に配置された一連の穴を介して便器の周囲の周りに全体的に分散される。水の残りの部分は、リム部の正面に配置された噴出チャネルを流れ抜ける。この噴出チャネルは、リム部チャネルを便器の水だめ内に配置された噴出開口部に連結する。噴出開口部は、強力な水流をトラップウエイの開口部に直接的に送るようにサイズ設定され配置される。水が噴出開口部を流れ抜けるとき、これは、非噴出型便器において達成できるより効率的にかつすばやくトラップウエイを充填する役目を果たす。トラップウエイへのこのより勢いがある、すばやい水の流れのため、トイレは、トラップウエイ直径をより大きくし、曲がり部および狭窄部をより少なくして設計されることが可能になり、これはさらに、非噴出型便器と比べて、大量の排せつ物除去におけるパフォーマンスを向上させる。より少量の水がリム部噴出型トイレのリム部から流れ出るが、リム部チャネルを流れ抜ける水が、タンクからの水の上流側の流れによって加圧されるため、便器洗浄機能はより良好である。このため、水は、より高いエネルギーでリム部の穴を出て、便器の洗浄の仕事をより効果的に行うことが可能になる。そうではあるが、突き出た表面を有するリム部設計の存在は、清潔性および衛生面における問題を依然として残し、手動の清掃を必要とする。しかし上記のように、通常、リム部自体の表面を清掃するための機構は設けられていない。
【００１７】
リム部噴出型便器は通常、非噴出型より優れているが、水がリム部を通って噴出開口部まで進行しなければならない長い通路は、利用可能なエネルギーの多くを消散し、浪費する。直接噴出型便器は、この概念において向上し、排せつ物の大量の除去に関してさらに優れたパフォーマンスをもたらすことができる。直接噴出型便器では、水洗水は、タンクを出て、便器入口および主要マニホールドを流れ抜ける。この時点で、水は２つの部分に分かれる。１つの部分は、リム部入口ポートを通って（上記で指摘したものに類似する設計の）中空のリム部チャネルまで流れ、このときリム部チャネルの主な目的は、所望の便器洗浄を実現することである。第２の部分は、噴出入口ポートを通り、主要マニホールドをトイレ便器の水だめ内の噴出開口部に連結する「直接噴出チャネル」まで流れる。直接噴出チャネルは、さまざまな異なる形態をとることができ、時に、トイレの一方の側の周りで単一方向のものであり、または対称のチャネルが両側を進行して下り、マニホールドを噴出開口部に連結する「二重供給」のものである。リム部噴出型便器と同様に、噴出開口部は、強力な水流をトラップウエイの開口部に直接的に送るようにサイズ設定され配置される。水が噴出開口部を流れ抜けるとき、これは、非噴出型便器またはリム部噴出型便器において達成できるよりも効率的にかつすばやくトラップウエイを充填する役目を果たす。トラップウエイへのこのより勢いがある、すばやい水の流れのため、トイレは、トラップウエイ直径をさらにより大きくし、曲がり部および狭窄部を最小限にして設計されることが可能になり、これはさらに、非噴出型およびリム部噴出型の便器と比べて、大量の排せつ物除去におけるパフォーマンスを向上させる。そのような向上により、より良好な水洗が行われるが、リム部自体のリム部の清潔性は依然として問題である。
【００１８】
いくつかの発明は、直接噴出型概念の最適化によってサイホン式トイレのパフォーマンスを向上させることを目的としてきた。たとえば、米国特許第５，９１８，３２５号明細書では、サイホン式トイレのパフォーマンスは、トラップウエイの形状を改良することによって向上される。米国特許第６，７１５，１６２号明細書では、パフォーマンスは、入口に組み込まれた半径部および便器内への水の非対称の流れと共に水洗弁を使用することによって向上する。
【００１９】
上記で指摘したように、直接噴出型便器は、より良好な水洗をもたらすが、便器の洗浄能力を向上させることができる。直接噴出型便器の水圧設計により、リム部チャネルに入る水は、加圧されない。そうではなく、これは、噴出チャネルが充填され、加圧された後にのみリム部チャンネル内に流れ込む。その結果、リム部を出た水は、非常にエネルギーが小さく、直接噴出トイレの便器洗浄機能は通常、リム部噴出型および非噴出型より劣る。この領域は、水洗水量が低減されたときに特に影響を受ける。
【００２０】
この問題は、下側噴出部分とリム部分の間の流れを分割した結果、渦巻き効果を導くトイレを説明する米国出願公開第２０１０／０１８６１５８Ａｌ号明細書で対処された。このリム部の流れにおいて、流入する水は、リム部内に左右均等に流れるように分割され、その一部分は、リム部分の後部内のさまざまな「スロット」に方向付けられ、このスロットは、水を便器内へと接線方向に噴き出し、清掃および水洗作用を向上させる。
【００２１】
米国特許出願公開第２００９／０２４１２５０Ａｌ明細書もまた、加圧されたリム部と、洗いを強化し、現行の水使用の環境基準を満たす少量の水で使用するのに適切なサイホン作用を可能にする直接供給噴出形状とを提供することによって従来技術の問題を解決することを提案している。しかし、これはリム部の清潔性の問題に対処していない。
【００２２】
国際公開第２００９／０３０９０４Ａｌ号パンフレットは、水を一連の穴から導くための突き出し部を備えた便器の上側表面上にリム部を有さないトイレを教示している。その代わり、タンク水洗水は、全て主要マニホールド内の便器内に入り、次いで、便器の上部の後部分にある２つの対向する入口内へと進む。棚様リッジまたは水ガイドが、便器内に形成され、この上を、便器に入った水が、ボールの正面により近くなるまでほぼ水平に進行し、この正面において水は、便器の底部に向かってほぼ縦方向に進行して、水洗水柱を作り出す。縁または波ガイドは、流れの一部分を洗浄作用のために縦方向にガイドから流出させるような角度で下方向に傾くことができる。
【００２３】
英国特許第２４３１９３７号明細書は、清掃問題の一部を最小限に抑えることができる、便器の正面に向かって狭くなる改変されたリム部を示しており、水は、便器の後部を通りリム部内の湾曲した開口部を通って入り、それによって円形式または湾曲式に便器内に入る。便器は、便器の内部上に、洗浄のためのより円形の流れを作り出す内側面を有する。
【００２４】
今日の市場における重力式水洗トイレの設計は、特に加圧式リム部の導入により、水使用基準がより制限的になりつつあっても便鉢洗浄の効果性をますます高めているが、トイレ便器の（便器領域を清掃するために水洗水を導くための底部の穴を備えた）従来のリム部設計は、清掃し無菌の状態を保つことがより難しい下側表面に関して問題が残る。近年、導入されたリム部を有さないトイレは、リム部の清潔性に対する問題を回避することに関する代替策を提供するが、現在のところ、渦流作用特徴、または縦方向および水平方向の流れをガイド通路に沿っておよび便器の正面において十分釣り合わせて十分な水洗作用を達成しながら、水洗水全てをガイドに沿って押し出す作動に頼っている。さらに、洗い落とし水洗作用を目的とした一般的な従来技術のリム部を有さないトイレ技術は、水スポットがより小さく、便器に汚れが付きやすいという欠点を提示している。
【発明の概要】
【発明が解決しようとする課題】
【００２５】
当技術分野では、優れた水洗能力を達成しながらリム部洗い能力を用いて便器表面の清掃を助ける、より従来の重力式トイレの利点を達成するが、これらの特性を従来のリム部を必要とすることなく依然としてもたらすことができるトイレが必要とされている。そのようなトイレはまた、現代の、節水トイレにおいて適切なサイホン作用をもたらすこともできることがより好ましい。
【課題を解決するための手段】
【００２６】
本明細書では、これもまたサイホン式の重力式トイレである、独自のリム部を有さないトイレが説明される。トイレはトイレ便器アセンブリを含み、このトイレ便器アセンブリは、トイレ便器アセンブリ本体および流体源から流体を受け入れるためのトイレ便器アセンブリ入口と、上側周囲縁を備えた内部便器表面を有する、トイレ便器アセンブリ本体内のトイレ便器であって、トイレ便器の内部便器表面が、水洗中に流体を受け入れるための内部領域を画定し、内部領域が、トイレ便器アセンブリ入口と流体連通しており、内部便器表面の上側周囲部分が、その中に、上側周囲縁下方の内部便器表面の上側周囲部分の少なくとも一部に沿って形成された棚部を有するように構成される、トイレ便器と、下水出口と流体連通するためのトイレ便器アセンブリ出口と、トイレ便器アセンブリ入口と流体連通している噴出入口、トイレ便器アセンブリ出口と連通している噴出出口、および噴出入口と噴出出口の間を延びる少なくとも１つの噴出チャネルを有する、噴出部と、マニホールド領域を中に有するマニホールドであって、トイレ便器アセンブリ入口に入った流体が、噴出部の入口に入るための第１の部分と、トイレ便器の内部領域に入るための第２の部分とに分かれるように構成される、マニホールドと、トイレ便器の上側後部分に配置された少なくとも１つのトイレ便器入口ポートであって、少なくとも１つの入口ポートは、流体の少なくとも一部分がトイレ便器の下側部分内に進む前にトイレ便器の棚部に沿って進行するように、流体をマニホールドからトイレ便器の内部領域内に受け入れるように構成される、少なくとも１つのトイレ便器入口ポートとを備える。
【００２７】
トイレ便器アセンブリは、２つのトイレ便器入口ポートを有するように形成されてよく、そのポートの各々は、トイレ便器の内部領域に入った流体が、棚部に沿って対向する方向に進むように配置される。そのような実施形態では、２つのトイレ便器入口ポートの間辺りのトイレ便器の内部表面の後部領域を清掃するために、任意選択の開口部が、流体の一部分をマニホールドおよび／または噴出チャネルからトイレ便器内にほぼ下方向に導くために２つのトイレ便器入口ポート間に設けられてもよい。カバーが、水の流れを方向付け洗浄を最適化するように形成され得る。任意選択の開口部が上記で指摘したように使用される場合、トイレはさらに、好ましくは、２つのトイレ便器入口ポート間の開口部を少なくとも部分的に覆うように配置された分配器を含む。分配器は、開口部を覆って延びるように位置付けられたカバーでよい。分配器はまた、分配器ガイド、締結具、分配器ロック、および任意選択でカバーを備えるアセンブリになることもできる。
【００２８】
本明細書における１つの実施形態では、棚部は、その上側表面上で横断方向に測定された幅を有し、棚部の幅は、棚部の正面部分よりも棚部の後部分において最大となる。棚部の幅はまた、棚部の後部分から棚部の正面部分まで徐々に低減することもできる。棚部は、トイレ便器の上側周囲部分全体の周りに延びるように形成され得る。さらに、噴出入口は、好ましくは、マニホールドの下側部分に位置する。トイレアセンブリはまた、所望の場合、二重の水洗能力に合わせて少なくとも２つの異なる水洗量を用いたトイレの作動を可能にする機構を含むこともできる。
【００２９】
噴出チャネル（複数可）は、さまざまな構造を有することができる。１つの実施形態では、少なくとも１つの噴出チャネルは、トイレ便器アセンブリ本体の内部内でトイレ便器の外側周りを延びることができ、噴出出口は、この場合、噴出チャネルからの流体が、トイレ便器の底部内に入り、それによってトイレ便器内の棚部に少なくとも部分的に沿って進行した流体と合流するように配置され得る。そのような構造は、噴出部内に形成された２つの噴出チャネルを有するように形成されてよく、各々のそのようなチャネルは、トイレ便器アセンブリ本体の内部でトイレ便器の外側周りを延び、噴出出口において合流する。
【００３０】
代替的には、少なくとも１つの噴出チャネルは、トイレ便器アセンブリ本体の内部の噴出入口から延び、トイレ便器の外側周りを進むことができ、このとき噴出チャネルは、トイレ便器の棚部のほぼ下方のトイレ便器アセンブリ本体内に画定された空間内に少なくとも部分的に存在するように配置されている。この実施形態では、噴出出口は、噴出チャネルからの流体が、便器の上側周囲部分の近位のトイレ便器の正面領域において便器に入るように配置され、それにより、噴出チャネルから噴出出口に入った流体は、便器の正面において内部便器表面に沿ってほぼ下方向に進行し、それによって、トイレ便器内の棚部に少なくとも部分的に沿って進行した流体と合流する。この実施形態では、噴出部は、２つのそのような噴出チャネルを含むことができ、各々のチャネルは、トイレ便器アセンブリ本体の内部でトイレ便器の外側周りを延び、噴出出口において交わる。そのような構造は、溶化磁器で製造される場合、便器の台座を形成する型の外形を簡易化することができるため製造利点を有することができる。
【００３１】
１つの実施形態では、中空チャネルが、周囲縁の下のトイレの上側周囲部分内に形成されてよく、マニホールドと流体連通する少なくとも１つの中空チャネル入口と、第２の棚部と連通している少なくとも１つの中空チャネル出口であって、第２の棚部が、少なくとも１つの中空チャネル出口とそこから出た流体を受け入れるために位置合わせして配置され、少なくとも１つの入口ポートと位置合わせされた棚部の上方に配置される、少なくとも１つの中空チャネル出口とを有する。第２の棚部は、好ましくは、第２の棚部上で横断方向に測定された幅を有し、この幅は、トイレ便器の正面に向かって低減し、それにより、第２の棚部から流れ出た流体が、少なくとも１つの入口ポートと位置合わせされた棚部上を流れる流体と合流した後、合流した流れが、トイレ便器の下側部分内に進むことができる。
【００３２】
本発明はまた、トイレ便器アセンブリを有する、リム部を有さない、サイホン式の重力式トイレを含み、このトイレ便器アセンブリは、トイレ便器アセンブリ本体および流体源から流体を受け入れるためのトイレ便器アセンブリ入口と、上側周囲縁を備えた内部便器表面を有する、トイレ便器アセンブリ本体内のトイレ便器であって、トイレ便器の内部便器表面が、水洗中に流体を受け入れるための内部領域を画定し、内部領域が、トイレ便器アセンブリ入口と流体連通しており、内部便器表面の上側周囲部分が、その中に、上側周囲縁下方の内部便器表面の上側周囲部分の少なくとも一部に沿って形成された棚部を有するように構成される、トイレ便器と、下水出口と流体連通するためのトイレ便器アセンブリ出口と、トイレ便器アセンブリ入口と流体連通している噴出入口、トイレ便器アセンブリ出口と連通している噴出出口、および噴出入口と噴出出口の間を延びる少なくとも１つの噴出チャネルを有する噴出部であって、少なくとも１つの噴出チャネルが、トイレ便器アセンブリ本体の内部でトイレ便器の外側周りを延び、噴出出口は、噴出チャネルからの流体がトイレ便器内に入り、それによってトイレ便器内の棚部に少なくとも部分的に沿って進行した流体と合流するように配置される、噴出部と、マニホールド領域を中に有するマニホールドであって、トイレ便器アセンブリ入口に入った流体が、噴出部の入口に入るための第１の部分と、トイレ便器の内部領域に入るための第２の部分とに分かれるように構成される、マニホールドと、トイレ便器の上側後部分に配置された２つのトイレ便器入口ポートであって、各々の入口ポートが、流体の一部分がトイレ便器の下側部分内に進む前にトイレ便器の棚部に沿って対向する方向に進行するように、流体をマニホールドからトイレ便器の内部領域内に受け入れるように構成される、２つのトイレ便器入口ポートとを備える。
【００３３】
この実施形態では、２つのトイレ便器入口ポートの間辺りのトイレ便器の内部表面の後部領域を清掃するために、任意選択の開口部が、流体の一部分をマニホールドおよび／または噴出チャネルからトイレ便器内にほぼ下方向に導くために２つのトイレ便器入口ポート間に設けられてよい。加えて、そのような任意選択の開口部が使用される場合、２つのトイレ便器入口ポート間の開口部を覆ってカバーが設けられてよい。トイレ便器はまた、そのような開口部が、２つのトイレ便器入口ポート間の開口部を少なくとも部分的に覆うように配置されて使用される場合、分配器を備えることもできる。分配器は、開口部を覆って延びるように位置付けられたカバーでよく、またはカバーを含むことができる。分配器はまた、分配器ガイド、締結具、分配器ロック、および任意選択でカバーを備えるアセンブリになることもできる。
【００３４】
棚部は、トイレ便器の上側周囲部分全体周りを延びるように形成されても形成されなくてもよい。噴出入口は、好ましくは、マニホールドの下側部分内に存在する。１つの実施形態における噴出出口は、噴出チャネルからの流体が、トイレ便器の底部に入るように配置され得る。２つの噴出チャネルもまた噴出部内に形成され、各々のチャネルは、トイレ便器アセンブリ本体の内部でトイレ便器の外側周りを延び、噴出出口において交わる。代替的には、噴出チャネルは、トイレ便器の棚部のほぼ下方のトイレ便器アセンブリ本体内に画定された空間内に少なくとも部分的に存在するように配置されてよく、噴出出口は、噴出チャネルからの流体が、便器の上側周囲部分の近位のトイレ便器の正面領域において便器に入るように配置され、それにより、噴出チャネルから噴出出口に入った流体は、便器の正面において内部便器表面に沿ってほぼ下方向に進行する。
【００３５】
さらなる実施形態では、本発明は、リム部を有さない、サイホン式の重力式トイレであって、（ａ）トイレ便器アセンブリであって、トイレ便器アセンブリ本体および流体源から流体を受け入れるためのトイレ便器アセンブリ入口と、上側周囲縁を備えた内部便器表面を有する、トイレ便器アセンブリ本体内のトイレ便器であって、トイレ便器の内部便器表面が、水洗中に流体を受け入れるための内部領域を画定し、内部領域が、トイレ便器アセンブリ入口と流体連通しており、内部便器表面の上側周囲部分が、その中に、上側周囲縁下方の内部便器表面の上側周囲部分の少なくとも一部に沿って形成された棚部を有するように構成される、トイレ便器と、下水出口と流体連通するためのトイレ便器アセンブリ出口と、トイレ便器アセンブリ入口と流体連通している噴出入口、トイレ便器アセンブリ出口と連通している噴出出口、および噴出入口と噴出出口の間を延びる少なくとも１つの噴出チャネルを有する噴出部と、マニホールド領域を中に有するマニホールドであって、トイレ便器アセンブリ入口に入った流体が、噴出部の入口に入るための第１の部分と、トイレ便器の内部領域に入るための第２の部分とに分かれるように構成される、マニホールドと、トイレ便器の上側後部分に配置された少なくとも１つのトイレ便器入口ポートであって、少なくとも１つの入口ポートは、流体の少なくとも一部分がトイレ便器の下側部分内に進む前にトイレ便器の棚部に沿って進行するように、流体をマニホールドからトイレ便器の内部領域内に受け入れるように構成される、少なくとも１つのトイレ便器入口ポートとを備える、トイレ便器アセンブリと、（ｂ）トイレの上側周囲縁を覆って嵌合するように構成された便座であって、トイレ便器の上側周囲縁と接触するための便座バンパを有する下側表面を備え、バンパは、便座がトイレ便器の上側周囲縁を覆う下げられた位置にあるとき、トイレ便器の上側周囲縁と当接する、便座とを備える、リム部を有さない、サイホン式の重力式トイレを含む。
【００３６】
本発明は、さらに、リム部を有さないトイレ便器に水が入るトイレ便器の後部用の、一体的に形成した、または外部に設けた水はねガード特徴を有する実施形態を含む。
【００３７】
１つの実施形態では、水はねガードは、便座を有するアセンブリの一部である。この実施形態では、本発明は、リム部を有さない、サイホン式の重力式トイレであって（ａ）トイレ便器アセンブリであって、トイレ便器アセンブリ本体および流体源から流体を受け入れるためのトイレ便器アセンブリ入口と、上側周囲縁を備えた内部便器表面を有する、トイレ便器アセンブリ本体内のトイレ便器であって、トイレ便器の内部便器表面が、水洗中に流体を受け入れるための内部領域を画定し、内部領域が、トイレ便器アセンブリ入口と流体連通しており、内部便器表面の上側周囲部分が、その中に、上側周囲縁下方の内部便器表面の上側周囲部分の少なくとも一部に沿って形成された棚部を有するように構成される、トイレ便器と、下水出口と流体連通するためのトイレ便器アセンブリ出口と、トイレ便器アセンブリ入口と流体連通している噴出入口、トイレ便器アセンブリ出口と連通している噴出出口、および噴出入口と噴出出口の間を延びる少なくとも１つの噴出チャネルを有する噴出部と、マニホールド領域を中に有するマニホールドであって、トイレ便器アセンブリ入口に入った流体が、噴出部の入口に入るための第１の部分と、トイレ便器の内部領域に入るための第２の部分とに分かれるように構成される、マニホールドと、トイレ便器の上側後部分に配置された少なくとも１つのトイレ便器入口ポートであって、少なくとも１つの入口ポートは、流体の少なくとも一部分がトイレ便器の下側部分内に進む前にトイレ便器の棚部に沿って進行するように、流体をマニホールドからトイレ便器の内部領域内に受け入れるように構成される、少なくとも１つのトイレ便器入口ポートとを備える、トイレ便器アセンブリと、（ｂ）トイレの上側周囲縁を覆って嵌合するように構成された便座であって、トイレ便器の上側周囲縁と接触するための便座バンパを有する下側表面を備え、バンパは、便座がトイレの上側周囲縁を覆う下げられた位置にあるとき、トイレ便器の上側周囲縁と当接する、便座と、（ｃ）上側部分および下方向に延びる部分と、外部表面と、内部表面とを有する水はねガードであって、便座の下およびトイレ便器の後部分の上方に嵌合するように、トイレ便器の後部分の形状を補完するように、そして、トイレ便器の後部分から流れの方向に便器の上側周囲縁に少なくとも部分的に沿ってトイレの正面に向かって延び、それによって少なくとも１つのトイレ入口ポートを少なくとも覆い、上方向の水はねを遮る、外方向に延びる端部分を有するように構成される、水はねガードとを備える、リム部を有さない、サイホン式の重力式トイレを含む。
【００３８】
１つの実施形態において上記で指摘した水はねガードは、外方向に延びる部分に沿って横断面内でほぼ直角を形成する。水はねガードの外方向に延びる部分は、便座上のバンパの後方で終端することができる。水はねガードはまた、便座上のヒンジに向かって後方に延びるように構成された後方向に延びる部分を有することもできる。２つのトイレ便器入口ポートが存在する他の実施形態では、２つの外方向に延びる端部分が水はねガード上に存在することができる。さらに、トイレはまた、２つのトイレ便器入口ポートの間辺りのトイレ便器の内部表面の後部領域を清掃するために、流体の一部分をマニホールドおよび／または噴出チャネルからトイレ便器内にほぼ下方向に導くための、２つのトイレ便器入口ポート間に配置された開口部と、２つのトイレ便器入口ポート間の開口部を少なくとも部分的に覆うように配置された分配器とを備えることもできる。そのような任意選択の分配器および開口部もまた、水はねガードの下方に配置される。
【００３９】
本発明はまた、リム部を有さないトイレ用のトイレ水はねガードであって、上側部分および下方向に延びる部分と、外部表面と、内部表面とを備え、便座の下におよびリム部を有さないトイレ便器の後部分の上方に嵌合するように、リム部を有さないトイレ便器の後部分の形状を補完するように、そして、リム部を有さないトイレ便器の後部分から流れの方向に、リム部を有さないトイレ便器の上側周囲縁に少なくとも部分的に沿って、リム部を有さないトイレ便器の正面に向かって延び、それによって上方向の水はねを遮る、外方向に延びる端部分を有するように構成される、トイレ水はねガードも含む。
【００４０】
別の実施形態では、水はねガードは、一体的特徴としてトイレ便器アセンブリを有する、リム部を有さない、サイホン式の、重力式トイレのトイレ便器内に形成されてよい。そのような実施形態では、トイレは、トイレ便器アセンブリ本体および流体源から流体を受け入れるためのトイレ便器アセンブリ入口と、上側表面に沿って上側周囲縁を備えた内部便器表面を有する、トイレ便器アセンブリ本体内のトイレ便器であって、トイレ便器の内部便器表面が、水洗中に流体を受け入れるための内部領域を画定し、内部領域が、トイレ便器アセンブリ入口と流体連通しており、内部便器表面の上側周囲部分が、その中に、上側周囲縁下方の内部便器表面の上側周囲部分の少なくとも一部に沿って形成された棚部を有するように構成される、トイレ便器と、下水出口と流体連通するためのトイレ便器アセンブリ出口と、トイレ便器アセンブリ入口と流体連通している噴出入口、トイレ便器アセンブリ出口と連通している噴出出口、および噴出入口と噴出出口の間を延びる少なくとも１つの噴出チャネルを有する噴出部と、マニホールド領域を中に有するマニホールドであって、トイレ便器アセンブリ入口に入った流体が、噴出部の入口に入るための第１の部分と、トイレ便器の内部領域に入るための第２の部分とに分かれるように構成される、マニホールドと、トイレ便器の上側後部分に配置された少なくとも１つのトイレ便器入口ポートであって、少なくとも１つの入口ポートは、流体の少なくとも一部分がトイレ便器の下側部分内に進む前にトイレ便器の棚部に沿って進行するように、流体をマニホールドからトイレ便器の内部領域内に受け入れるように構成される、少なくとも１つのトイレ便器入口ポートとを備え、この場合、トイレ便器の上側表面の一部分は、少なくとも１つの入口ポートから棚部に入る水用の水はねガードとして作動するために、少なくとも１つの入口ポートおよび棚部の後ろ部分を覆うように下方向に延びるように構成される。
【００４１】
一体型水はねガードを備えた、上記で指摘したトイレのさらなる実施形態では、水はねガードとして作動するトイレ便器の上側表面の部分は、横断面においてほぼ直角を形成することができる。水はねガードとして作動するトイレ便器の上側表面の部分の外方向に延びる部分は、便座がトイレ便器の上側周囲縁と接触する位置の後方向で終端するように構成され得る。２つのトイレ便器入口ポートが存在する実施形態では、２つの外方向に延びる端部分が、水はねガードとして作動するトイレ便器の上側部分上に存在することができる。トイレは、さらに、２つのトイレ便器入口ポートの間辺りのトイレ便器の内部表面の後部領域を清掃するために、流体の一部分をマニホールドおよび／または噴出チャネルからトイレ便器内にほぼ下方向に導くための、２つのトイレ便器入口ポート間に配置された開口部と、２つのトイレ便器入口ポート間の開口部を少なくとも部分的に覆うように配置された分配器とを備えることもできる。そのような特徴は、水はねガードの下方に位置する。
【００４２】
前述の概要、および本発明の好ましい実施形態の以下の詳細説明は、付属の図を併用して読み取ることにより良好に理解されよう。本発明を例示する目的で、現在好ましい実施形態が図に示される。しかし、本発明は、図示する正確な配置および手段に限定されるものではないことを理解されたい。
【図面の簡単な説明】
【００４３】
【図１】本明細書の実施形態によるトイレ便器アセンブリの斜視図である。
【図２】図１のトイレ便器アセンブリの長手方向の側部断面図である。
【図３】図１のトイレ便器アセンブリの上面図である。
【図４】図１のトイレ便器アセンブリ内のトイレ便器の後部の一部分の拡大正面図である。
【図５】図１のトイレ便器アセンブリの噴出チャネルの斜視図である。
【図５Ａ】噴出通路を示す、図１によるトイレ便器アセンブリの部分断面斜視図である。
【図６】本明細書における別の実施形態による、トイレ便器アセンブリの部分断面斜視図である。
【図７】本発明のさらなる実施形態による、改変された便座を有する図１によるトイレ便器アセンブリの実施形態の部分断面斜視図である。
【図８】図７のトイレアセンブリおよび便座の一部分の拡大図である。
【図９】追加の上側周囲中空チャネルを有する、本明細書におけるさらなる実施形態によって形成されたトイレ便器アセンブリの上面図である。
【図１０】分配器アセンブリの分解図を伴う、図１のトイレの斜視図である。
【図１１】図１０の分配器アセンブリの拡大図である。
【図１２】図１１の分配器アセンブリ内の分配器ガイドの後面図である。
【図１３】図１２の分配器ガイドの後部斜視図である。
【図１４】図１２の分配器ガイドが後部に設置された図を示す、図１のトイレの傾斜した、部分的な後部断面図である。
【図１５】本明細書における実施形態によって部分的に形成されたトイレを示す、型および成形された部分の概略斜視図である。
【図１６】水はねガードを中に有する、本明細書におけるトイレアセンブリのさらなる実施形態の斜視図である。
【図１７】図１６のトイレアセンブリの上面図である。
【図１８】図１６のトイレアセンブリの部分断面斜視図である。
【図１９】水はねガードを含む便座アセンブリが設置された、図１の実施形態によるトイレアセンブリの斜視図である。
【図２０】図１９の便座アセンブリを備えたトイレアセンブリの上面図である。
【図２１】図１９の便座アセンブリの斜視図である。
【図２２】図２１の便座アセンブリの底面図である。
【図２３Ａ】図２１の便座アセンブリの水はねガードの斜視図である。
【図２３Ｂ】図２１の便座アセンブリの水はねガードの上面図である。
【図２３Ｃ】図２１の便座アセンブリの水はねガードの底面図である。
【発明を実施するための形態】
【００４４】
本明細書において説明するリム部を有さないトイレは、噴出型トイレ水洗システムの使用からの水洗の効率性において達成される利点ならびに便器の清潔性およびリム部を有さない設計形状に関連する、拡大された内部便器の便鉢または標的領域の利点を組み込むことができるように設計される。トイレは、リム部チャネルの洗い機能を使用することなく、また慣習的な従来技術の噴出型トイレ便器のようにリム部の水を加圧することなく、強力な水洗および清掃能力をもたらすことができる。
【００４５】
トイレは、水洗後の清潔な便器を可能にし、突き出たリム部チャネルを有する従来のトイレに起こり得る汚れおよび細菌の堆積を有さずに、今日の６．０リットル／１水洗（１．６ガロン／水洗トイレ）と、好ましくは、４．８リットル／１水洗（１．２８ガロン／１水洗）を利用するトイレと一致する良好な水洗能力をもたらすことができる。噴出型便器の優れた便器の清潔性を達成する上でのバランスは、特に現行の水基準によるリム部チャネルの支援を必要とする。直接供給型噴出便器は、その強力な能力の大量の排せつ物除去能力に関して知られているが、水洗水の使用に関する政府基準が厳しくなってきているため、その清掃機能およびパフォーマンスを助ける設計改良を必要としている。全般的には、そのような基準を満たすのに必要な設計支援は、従来のリム部チャネル（リム部の加圧、および水の流れパターンを変更するための、リム部チャネル内の独自に設計された洗い開口部など）に焦点をあてた独自の設計特徴から生じる。行政機関は、都市用水の使用者が、自ら使用する水の量を低減することを継続的に要求している。主要な焦点は、水洗によって必要とされる水の需要量の低減である。水洗ごとにトイレで使用される水の量は、行政機関によって、７ガロン／１水洗（１９５０年代以前）から、５．５ガロン／１水洗（１９６０年代後半まで）、３．５ガロン／１水洗（１９８０年代）まで徐々に低減している。１９９５年の国家エネルギー政策法は、現在、米国で販売されるトイレが、１．６ガロン／１水洗（６リットル／１水洗）の量だけの水を使用することができるよう命じている。水の使用をさらに１．２８ガロン／１水洗まで減少させることを求める法規が、最近カリフォルニア州において可決した。
【００４６】
数多くの従来技術の１．６ガロン／１水洗トイレは、水消費のこうした低レベルに追い込まれたときに一貫的にサイホン作用を行う能力を失い、さらに、便器の表面を効果的に洗う能力も失う。少ない水の使用でのパフォーマンスを向上させるための設計が導入されてきているが、全般的には、これらの改良は、従来のリム部チャネル設計および／またはトラップウエイ設計に焦点をあてている。従来のリム部チャネルを補強して使用することが、サイホン式の、噴出型トイレにおいてパフォーマンスを維持し高めるためにより重要な焦点となっている。したがって、そのような設計は、本明細書において提供されるようなより清潔な、リム部を有さない設計をうまく生かすことはできていない。
【００４７】
次に図１を参照すれば、１つの実施形態による、リム部を有さない、サイホン式の重力式トイレが示される。全体的に１０で示すトイレ便器は、タンク１４、およびトイレ便器アセンブリ１２と共に示されている。本明細書において説明する独自の特徴は、トイレ便器アセンブリ１２を参照して説明され、タンク１４などのタンクは、全体的なトイレ設計においては任意選択であることを本開示に基づいて理解されたい。したがって、図示するような別個に取り付けられたトイレタンクを有するトイレは、一体型（単一体）トイレ設計であるとして本発明の範囲内に含まれる。トイレはまた、本発明によるトイレを形成するために配管システム（図示せず）に係合された壁装着された水洗システムになることもでき、この場合、水は上部に装着された水洗弁を通って、または後ろ向きの入口を通って入る。したがって、どのような一般的なタイプのトイレも、これが本明細書において説明するトイレ便器アセンブリを有すれば、本発明において使用することができる。図示するようにタンクからであれ、何らかの他の機構からであれ、その性質およびトイレを水洗するためにトイレ便器アセンブリ入口内に流体がそこを通って導かれる機構は、さまざまになり得る。
【００４８】
以下でより詳細に説明するように、本発明によるトイレ便器アセンブリを有する、リム部を有さないトイレの好ましい実施形態は、１水洗につき約６．０リットル（１．６ガロン）を上回らない、好ましくは１水洗につき４．８リットル（１．２８ガロン）を上回らない、さらに１水洗につき３．８リットル（１．０ガロン）を上回らない少なさを有するトイレにおいても、細菌および従来の突き出たリム部周りの難しい手動の清掃という問題を解消しながら、水洗水量において非常に優れた大量の排せつ物除去および便器洗浄をもたらすことができる。さらに、以下で説明する好ましい実施形態は、大量除去においてさらに高く、そしてより一貫したレベルのパフォーマンスを達成することができるが、これは、便器への流れを調節するポートの外形が、慣習的な、従来の便鉢−リム部−トラップウエイのトイレ構造と比べて大きく簡易化することができるためである。約６．０リットルまたはそれ以下の水洗量においてこれらの基準を達成することができることは、本明細書において説明するトイレが、より高い水洗量では良好に機能しないわけでなく、全般的には、より高い水洗量でも良好な水洗能力を達成することを意味することが、本開示に基づいて当業者によって理解されなければならない。
【００４９】
図１および図２に示すように、トイレ便器アセンブリ１２は、流体源２０から流体を受け入れるためのトイレ便器アセンブリ入口１８を含むトイレ便器アセンブリ本体１６を含む。流体源は、任意のタンク、管、またはトイレに水を送出するための他の機構でよく、それだけに限定されないが、タンク１４などのタンク、直通管、またはそれらの組み合わせの使用を含む。トイレ便器アセンブリ入口１８は、上記で説明したように流体源２０と流体連通している。したがって、水洗水は、当技術分野で知られているようなさまざまな水洗弁を使用するなどによって、市または他の流体供給源からの水などの流体を各々が供給する、タンク１４、壁装着されたフラッシャなどから入ることができる。タンクが図示するように存在する場合、これは通常、トイレ便器アセンブリ入口１８を覆ってトイレ便器アセンブリ本体の後部分２１の上方に結合される。
【００５０】
代替的には、タンクは、トイレ便器アセンブリ入口１８の上方に位置するのであれば、トイレ１０のトイレ便器アセンブリ本体１６と一体化することもできる。そのようなタンクは、トイレ便器２４からトイレ便器アセンブリ出口３８を通って下水道内へのサイホン作用を開始するために使用される水、ならびに水洗サイクル後に新鮮な水を便器に補充するための弁機構Ｆを含む。そのような弁または水洗機構Ｆのいかなるものも、本発明で使用するのに適している。本発明はまた、さまざまな、単一の、二重の、または多重の水洗機構と共に使用することもできる。したがって、当技術分野で知られている、または今後開発される二重および多重の水洗をもたらす機構などを含む、水洗サイホン作用を作動させ水をトイレ便器アセンブリ入口１８に導くことができる、水供給源と連通している任意のタンク、水洗機構などが、そのような機構（複数可）が、流体を便器アセンブリに供給することができ、リム部チャネルの入口ポートおよび直接供給型噴出部の入口ポートと流体連通しているのであれば、本明細書におけるトイレ便器アセンブリと共に使用され得ることを、本開示に基づいて当業者は理解しなければならない。
【００５１】
トイレ便器アセンブリはまた、トラップウエイ２２、トイレ便器２４、噴出部２６、およびマニホールド２８も含む。トイレ便器アセンブリ本体１６は、標準的な陶磁器の製造技術を用いて、単一の型または所望であれば複数の型部分において形成され得る。陶磁器の型（複数可）は、トイレ便器アセンブリ本体の内部が、本明細書において説明するような特徴を有するように構成されるのであれば、外部の美観設計などを提供するように形成されてよい。トイレ便器アセンブリ本体の外側表面は、美観的に引き付け、かつ清掃が容易である連続的な艶のある外観を有するようにトイレ便器２４の内部表面３０と共に形成されてよい。
【００５２】
アセンブリ１２内のトイレ便器２４は、上側周囲縁３２を有し、従来の中空リムチャネルを有さない内部便器表面３０を有するように構成される。内部便器表面は、水洗中、水源から水洗水を受け入れるトイレ便器の内部領域Ａを画定し、内部領域Ａもまた、流体源からの流体がそこを通ってトイレ便器アセンブリ本体内に流れるトイレ便器アセンブリ入口と流体連通している。陶磁器構造を成形する際に型による構成によってもたらされた内部表面３０の形状は、標準的な卵型の便器形状から、より丸みのある便器形状および多様な設計までさまざまになることができるが、便器は、トイレ便器出口３６（トラップウエイへの入口）に向かって滑らかに傾斜する、内部表面３０の下側部分３４を有することが好ましく、それにより、水洗水は、サイホン水洗時に排せつ物をトイレ便器出口３６に向かって下方向に、トラップウエイ２２を通り抜けて洗い流し、下水管または腐敗性廃棄物除去領域に向かって排せつ物を流すことを可能にするように全般的に設計されたトイレ便器アセンブリ出口３８を出る。
【００５３】
マニホールド２８は、流体をトイレ便器アセンブリ入口１８からマニホールド領域４０内に受け入れ、トイレ便器アセンブリの入口から噴出部２６まで、および以下でさらに説明するような入口ポート（複数可）４２内までの流体連通を可能にする。トイレ便器アセンブリは、トイレ便器の上側周囲縁によって画定された平面Ｐ−Ｐに対して横断方向に延びる長手方向軸Ｌ−Ｌを有し、１つの実施形態では、主要マニホールドは、好ましくは、トイレ便器の長手方向軸に対してほぼ横断する方向に延びる。したがって、マニホールドは、好ましくは、トイレ便器の長手方向軸Ｌ−Ｌに対してほぼ横断する方向に延びるように従来の方法で構成され、この場合、長手方向軸Ｌ−Ｌは、トイレ便器の上側周囲縁３２によって画定された平面Ｐ−Ｐに対して横断する方向に延びる。マニホールドは、ほぼ縦方向に延びるマニホールドを含む、さまざまな噴出形状に合わせて設計された他の設計を有することができる。参照によって関連部分が本明細書に組み込まれる、同時係属の米国特許出願第１３／２６６，２４１号明細書に説明されるような、便器および噴出出口ポートへの流れを最適化し調節するための調節要素を利用することも可能である。そのような調節要素は、水洗量が、約４．８リットルを下回る、またはトラップウエイ容積の、総水洗量に対する比が約４０％を超える実施形態において、特に好ましい。
【００５４】
マニホールドは、トイレ便器アセンブリ入口１８に入った流体が、図２の流れ矢印によって示すような、噴出入口４４を通って噴出部２６に入るための流体の第１の部分ｆ１と、図２の流れ矢印によって示すような、１つまたは複数の入口ポート４２を通ってトイレ便器２４の内部領域Ａに入るための第２の部分ｆ２とに分かれるように構成される。好ましくは、流体は、トイレ便器アセンブリ入口１８からマニホールド２８を通ってマニホールド領域４０内に流れ、ここで流体は加圧され、その後、噴出部２６内への流れおよび入口ポート（複数可）４２内への流れに分かれる。ｆ２の流れは、総流量の約１０％から約５０％、より好ましくは総流量の約２０％から約４０％でなければならない。
【００５５】
噴出入口４４は、好ましくは、マニホールド２８の下側部分４３内に配置される。噴出入口４４は、トイレ便器アセンブリ入口１８と流体連通している。噴出出口５０は、トイレ便器出口３６およびトイレ便器アセンブリ出口３８と流体連通している。１つまたは複数の噴出チャネル（複数可）４６は、噴出入口４４を噴出出口５０に連結する。流体は、噴出入口４４を通って噴出部に入り、中空内部４８を有する１つまたは複数の噴出チャネル（複数可）４６を通って流れる。流体は、この実施形態ではトイレ便器２４の底部５２に示される噴出出口５０において噴出チャネル（複数可）４６から流れ出る。図示する少なくとも１つの噴出チャネル（複数可）は、トイレ便器アセンブリ本体１６の内部５４内でトイレ便器２４の外側５６周りを延びるように設計される。噴出出口５０は、流れｆ５を参照して図５Ａに示すような、噴出チャネル（複数可）４６からの流体の流れが、トイレ便器２４の底部５２内にまたはその近くに入り、それによって、トイレ便器入口ポート４２に入り流れｆ４を参照して図５Ａに示すような、以下でさらに説明するトイレ便器内部表面内に形成された棚部５８に沿って進行した流体と合流するように配置される。図示する実施形態では、噴出チャネルは、参照によって本明細書に各々組み込まれる、米国特許第６，７１５，１６２号明細書または米国特許出願公開第２００９／０２４１２５０Ａｌ号明細書に説明されたものに類似する形態をとることができる。
【００５６】
噴出チャネル（複数可）４６内の水は、トラップウエイ２２内の噴出出口ポート５０または水だめから流れ出て、強力で加圧された水流を、トラップウエイ開口部でもあるトイレ便器の出口３６に方向付ける。この強力で加圧された水流は、トラップウエイ２２内でサイホン作用をすばやく開始して、便器を空にし、その内容物をトイレ便器アセンブリ出口３８と連通している下水管に排出することができる。
【００５７】
図５は、図１〜図３に示す実施形態による、トイレ便器から分離されたトラップウエイに入る噴出通路を部分的分解斜視図で示している。直接供給噴出型の例である、噴出型トイレの内部の水チャネルは、最初にトイレ便器アセンブリ入口１８、次いでマニホールド２８を通って噴出入口４４に入り、図示するような２つの噴出チャネル４６を通る経路を含み、この場合噴出流は、噴出入口４４の後、トイレ便器の外側周りを曲がり、噴出出口において互いに合流することができる２つのチャネル４６に分かれ、次いでトイレ便器の出口３６を通り過ぎてトラップウエイ２２に入るものであり、ここでは、これらの部分は、出口経路を見せるために部分的に連結解除され、トイレ便器を省いて示されている。
【００５８】
トイレ便器入口ポート（複数可）４６は、１つの方向を向く１つのポート、または互いに反対方向を向く２つのそのようなポートとして存在することができる。加えて、複数のそのようなポートが形成されてよいが、好ましくは、棚部５８に沿って反対方向に押し流すように配置される。入口ポート（複数可）は、好ましくは、トイレ便器２４の上側後部分６０に配置される。マニホールド領域４０をトイレ便器２４の内部領域Ａから分離するマニホールド２８の最も正面の端部６４を覆う表面６２は、入口ポート（複数可）４２を流れ抜ける流体を加圧する機能を助けることができる。図４に最適に示すように、表面６２は、トイレ便器２４の一方側に向かって面するように窪んだ表面６８内に形成され得るトイレ便器入口ポート（複数可）４２から棚部５８が外方に延び始め得るところに窪んだ部分６６を形成するように、また、２つのそのようなポート４２が使用される場合、流れが、トイレ便器の上側後部分６０からの入口点から外方にトイレ便器の正面７０に向かって対向する方向に進むように、トイレ便器２４の内部表面３０内に埋め込まれ得る。
【００５９】
図１の実施形態に関して、トイレ便器ポート（複数可）４２は、流れを調節するように構成されサイズ設定され得る。好ましくは、入口ポート（複数可）４２は、丸みのある（ほぼ円形の）形状で成形されるが、多様な形状、すなわち湾曲したスリット、卵型の穴、楕円形の穴などのものでもよい。ポート（複数可）は、約５ｍｍから約２５ｍｍ、好ましくは最適な流れ圧力に合わせて約１０ｍｍから約２０ｍｍの直径（または最も長い断面寸法）を有さなければならない。これらは、異なるトイレ形状におけるさまざまな効果に合わせて調整されてよい。
【００６０】
上記で指摘したように、トイレ便器入口ポート（複数可）４２は、トイレ便器２４の上側後部分６０に配置される。入口ポート（複数可）４２は、流体をマニホールド２８からトイレ便器２４の内部領域Ａ内に受け入れるように各々が構成され、それにより、流れｆ２として導かれた流体の少なくとも一部分は、図５Ａに示す流れｆ４のようにトイレ便器の棚部５８に沿って進むようになる。棚部５８は、流れがトイレ便器の下側部分または底部５２内に進む手前のその内部表面３０内に形成される。そのようにする際、１つのポートが設けられる場合、より集中した流れが、棚部に沿って時計周り方向または反時計周り方向に進行するように導かれ得る。（複数の対向するポートの）２つの対向するポート４２を使用する場合、流れは、表面６８から外方に時計周り方向および反時計周り方向の両方に進行することができ、このときいずれの流れもトイレ便器の正面に向かって流れる。
【００６１】
トイレ便器の上側周囲部分７１内のその内側表面３０は、トイレ便器の上側周囲縁３２の下方にある内部表面３０の上側周囲部分の少なくとも一部７３に沿って棚部５８が中に形成されるように構成され得る。棚部５８は、好ましくは、水洗流体が上方向にはねることを防止するために上側周囲縁３２の十分下になるように、但し、トイレ便器入口ポート（複数可）４２を出た流体の大部分を捕捉し、この流れを棚部に沿って方向付けるために窪んだ表面６８内のポートからの流体の流出の下に位置合わせして配置される。棚部は、好ましくは、トイレ便器の上側周囲縁の約１０ｍｍから約１００ｍｍ下、より好ましくは約２０ｍｍから約５０ｍｍ下に配置されるが、設計はまた、本明細書において説明する本発明から望まれる水洗効果に応じてさまざまになり得る。棚部５０はまた、好ましくは、最も下側のトイレ便器入口ポート（複数可）４２の場所の約０ｍｍから約２０ｍｍ下方に配置される。
【００６２】
棚部５８は、多様な構造をとることができ、棚部に沿って所望の地点まで流れを維持するまたは方向付けるのを助ける長手方向に延びる流れ溝または特徴を含むことができる。さらに、一部の水洗水をさまざまな地点において棚部から強制的に落とすわずかに隆起しておよび／または傾斜して横断方向に延びる特徴もまた、または代替的に、通路に沿って形成することができ、これもまた使用することができる。そのような任意選択の特徴は、さまざまな流れパターンに合わせて設計され得るが、棚部はまた、単に、図示するようなほぼ平坦な上側表面でもよい。棚部の上側表面７２はまた、ポートおよび棚部形状に関して関連部分が参照によって本明細書に組み込まれる、国際公開第２００９／０３０９０４Ａｌ号明細書に説明される方法で、横断方向幅に関して下方向にその通路に沿って傾斜してもよい。好ましくは、棚部は、主に水洗後の滞留水の蓄積を防止するために便器の中心に向かって約１°から約３°で傾斜される。棚部はまた、所望の場合、棚部５８の後部分７４から棚部の正面部分７６に進むにつれて、その長手方向の流れ通路に沿ってわずかに傾けて配置されてもよい。
【００６３】
棚部５８は、（棚部上で横断方向に測定された）幅ｗを有する。棚部５８の上側表面７２の幅は一定でよく、または図示するように、棚部の正面部分７６と比較して棚部５８の後部分７４に向かって最も大きくなることができる。棚部５８はまた、幅ｗが、図３に示すように、最大幅ｗ１から棚部５８の後部分７４に向かって除々に低減し、棚部に沿って幅Ｗ２などの中間幅を通り抜けて低減し、棚部５８の正面部分７６近くの小さい幅ｗ３で終端するように構成されてもよい。本明細書における１つの実施形態では、棚部５８は、トイレ便器２４の内部表面３０の上側周囲部分７１周り全てにわたって続くわけではない。棚部５８はまた、トイレ便器の内部表面の上側周囲部分全てにわたって続くように形成されてもよい。しかし、図示するように、除々に低減する幅を有する棚部５８が、流れがトイレ便器の正面７０において交わる領域までトイレ便器の内部表面の上側周囲部分周りを延び、この領域では、棚部５８は、約０ｍｍから約１０ｍｍだけの幅ｗを有し、両方向からの対合流の大部分が、トイレ便器２４の底部５２に向かって下方向に落下し、それによって噴出出口５０から便器に入った噴出流からの流れと合流することを可能にするよう十分小さいことが好ましい。
【００６４】
任意選択では、図９に示すような代替の実施形態では、同じ要素が図１の実施形態と同じ参照番号を有するトイレ便器アセンブリ２１２は、上側周囲縁２３２のすぐ下方の上側周囲領域２７１内に形成された上側中空チャネル２９９を有する。圧力下のマニホールドからの追加の流体もまた、中空チャネル２９９への入口２９５に入り、中空のチャネル出口２９７に到達するまで進むことができる。追加のそのような出口２９７は、図９に示すようにこの通路に沿って形成されてよく、この場合、図示する図に対して各々９時の位置および３時の位置にある２つの中空のチャネル出口２９７が存在する。水が出口を出るとき、これはさらに第２の棚部２５９上で続き、この第２の棚部２５９は、中空チャネル２９９のすぐ下方の上側周囲領域２７１内に形成され、出口（複数可）２９７と位置合わせされる。好ましくは、図示するように、第２の棚部２５９は、トイレ便器入口ポート２４２からの流れを受け入れトイレ便器２２４の正面２７０に近付くにつれて幅が低減する、棚部２５８の上方に配置される。したがって、上記で指摘したような流れｆ４を有する、棚部に沿って流れる流体は、図９に示す流れｆ６と合流し、このとき、２つの流れは、トイレ便器２２４の正面２７０に近付き、その後、トイレ便器内に下方向に流れる。そのような中空のチャネルは、既存のリム部を有さないトイレ構造内を流れるように、また慣習的な従来技術のリム部チャネルに関連する突き出しを有さずに形成することができる。所望の場合、出口２９７のようなさらなるそのような出口が、中空チャネルを形成し、出口開口部をその長さに沿って置くことによって、および／またはアセンブリ２１２内のトイレ便器２２４の上側周囲縁２３２の下の上側周囲領域２７１内に所望の場合、複数の棚部を伴って、マニホールドと流体連通して配置され得る。
【００６５】
図１の実施形態を参照すれば、任意選択の開口部７８が、後部領域６０に具体的に焦点をあてたさらなる洗浄をもたらすために本明細書のトイレ２４に設けられてよく、この場合、この開口部は、トイレ便器の横断方向中心辺りの表面６２内に、好ましくはその下に位置する。２つの入口ポート４２が使用される場合、開口部７８は、好ましくは、２つの入口ポート４２の間辺りに存在する。表面６２内に形成される場合の開口部７８は、マニホールドからさらなる加圧された水を受け入れる。しかし、図示するように、表面６２の下に配置された開口部は、通常ほぼ下方向の流れですでに進行している、マニホールド２８または噴出チャネル４６からの加圧された流れを受け入れることができる。マニホールドまたは噴出チャネルから開口部７８に入った追加の流体は、トイレ便器２４の内部表面３０の後領域６０を清掃するために、ほぼ下方向にトイレ便器に入るように方向付けられなければならない。これは、開口部７８内またはその上に配置された分配器７９を含むことによって達成することができる。分配器７９は、それだけに限定されないが、ポリマー、ポリマー複合材料、または金属材料を含む多様な適切な材料から形成することができ、好ましくは、便器入口ポート４２間の領域を洗浄するために流体を下方向および外方向に方向付けるように表面６２または開口部７８上に位置付けられる。
【００６６】
分配器７９は、好ましくは、トイレ便器に取り外し可能にまたは永久的に取り付けられ得るように形成される。代替的には、分配器７９は、たとえば、溶化磁器の縦方向壁を、開口部７８の約２ｍｍから約２０ｍｍ前に置くことによってトイレ便器の一体化部分として形成することができ、それにより、水洗サイクル中、開口部を出た流体は、壁に衝突し、下方向および外方向に向けられて便器の後部分を洗浄する。そのような構造は、分配器特徴を便器にいずれも型から出たままの状態のときに（すなわち高温燃焼する前に）くっつけることによって溶化磁器において達成され得る。上記で説明したようなこの分配器特徴は、さらに棚部に沿った流れが対向する方向であり、噴出作動が強力であることにより、流れが表面に沿って達し難い小さい領域が、適切に洗浄されることを確実にする。
【００６７】
１つの実施形態では、分配器は、流れをトイレ便器内に下方向に曲げる単なるカバー８０でよい。代替的には、図１０〜図１４に示すように、分配器は、カバー８０を含む構成要素のアセンブリでよく、カバー８０は、アセンブリとしての分配器の一部となることに加えて、分配器特徴の美観を向上させるためにも設けられてよい。分配器としてそれ自体作動しても、分配器アセンブリのカバーとして作動しても、カバーは、多様な設計を有することができ、それだけに限定されないが、複合材料、色合わせ材料、陶磁器、ステンレス鋼などを含む、さまざまな材料から形成されてよい。カバーは、流れの進入をもたらし、流れをトイレ便器２４の内部表面３０に沿って下方向に方向付けるよう十分外方向にトイレ便器２４の内部領域に向かって延びなければならない。代替的には、分配器および装飾カバーは、単一体になることができる。
【００６８】
図１０に示すようなアセンブリでは、分配器アセンブリ７９は、カバー８０と、任意選択の分配器ガイド７７と、分配器ロック８１と、分配器締結具７５とを含む。締結具は、圧入、スナップばめ、相互ロック部品、または本明細書に示すようにねじ７５を含む、多様な締結具の任意のものでよい。分配器は、図１０では意図する場所における分解図、図１１では拡大された拡張図で示されている。図１１に示すように、カバーは、好ましい分配器ガイド上に嵌合することができるように構成される。ガイドは、この場合もこの目的のために、流れを下方向に偏向させるための上側部分７７ｅと、正面表面部分７７ａとを備えて形成され、正面表面部分７７ａは、カバーと対合するために、および流れが分配器ガイドに沿って下方向におよびわずかに外方向に進み、それによって散開してトイレ便器２４の内部表面３０と接触することを可能にするために、設置されたときにトイレ便器の後部から外方に徐々に傾斜する。分配器ガイド７７はまた、図１２に最適に示すように、分配器ねじ７５を受け入れるための、横断方向に延びる貫通穴７７ｃも組み込む。好ましい分配器アセンブリ７９を用いるとき、カバー８０は任意選択であるが、美観目的でねじヘッドを隠すために使用することができる。さらに、カバー８０は、穴７８近くのトイレを清掃するために、取り外されるようにされ、ねじ７５もまた分配器ロックを取り外すことによって取り外されるようにされ得る。
【００６９】
分配器ロックはナットのように作動し、従来のナットもしくはワッシャの形態で構成することができ、または設置および取り外しを簡単にするために図示するように、周囲部８１ｂに沿って、把持特徴８１ａを考慮して設計された周囲形状を有することができる。分配器ロックはまた、分配器ねじ７５を受け入れるために図示するように横断方向に通り抜ける開口部８１ｃも有する。
【００７０】
後面図からの図１２および図１３に示すように、分配器ガイド７７は、流れを方向付けるための特徴７７ｄを有するようになされてよい。図示するように、ねじ７５が分配器を通り抜ける領域は、所望の場合は穴７７ｃの内部上に任意選択のねじ山を備えて後方に伸張させることができる。後方に延びる部分７７ｆは、流れを後部表面７７ｂに沿っておよびその後方に下方向に方向付け、それによって領域６０および内部表面３０上のその領域の下を清掃するためにトイレ便器の内部表面３０に向かって散開式に下方向に流すための特徴７７ｄなどの１つまたは複数の特徴の取り付けベースをもたらすために使用することができる。図示するように、特徴７７ｄは単なる仕切り板であるが、溝、チャネル、複数の仕切り板などが、本発明の趣旨および範囲から逸脱することなく分配器ガイド７７の後部表面７７ｂに設けられてよい。
【００７１】
後面図からの図１４に示すようにトイレ上に組み付けられ設置されたとき、分配器ロック８１はねじ７５を締め付けその上に嵌合し、このねじ７５は分配器ガイド７７および分配器ロック８１を通り抜け、それにより、ロックは開口部７８の上部においてマニホールドを覆う表面６２の後方の内部マニホールド表面２９に対して締め付けられ、分配器ガイドの後部表面７７ｂは、開口部７８の上部においてトイレ便器２４の内部表面３０に対して締め付けられる。したがって、分配器ガイドは固定され、カバー８０は分配器ガイドを覆って置くことができる。流れはこうして、図１４に示す流れｆ３に沿って便器内に下方向に進む。
【００７２】
代替的には、カバー８０は、分配器ガイド、ねじ、およびロックを有することなく穴７８上で使用し、分配器として美観的および機能的の両方に機能することができる。本明細書における好ましい実施形態では、カバー８０は、上記で指摘したようなアセンブリである分配器７９の一部である。
【００７３】
本明細書におけるさらなる実施形態では、トイレは、図６に示すような代替のトイレ便器アセンブリ１１２を有することができる。そのような代替のアセンブリは、トイレ便器アセンブリ１１２以外は、トイレ１０に関して上記で述べられたものと同一であり、同じ番号が全体にわたって同じ部品を指すために使用される、トイレ１００において使用され得る。トイレ便器アセンブリ１１２は、さらに、噴出部設計以外は同じである。トイレ便器アセンブリ１１２では、噴出入口１４４は、好ましくは、ここでもトイレ便器アセンブリマニホールド１２８の下側部分１４３内に配置される。噴出入口１４４は、トイレ便器アセンブリ入口１１８と流体連結している。噴出出口１５０は、トイレ便器出口１３６およびトイレ便器アセンブリ出口１３８と流体連通している。１つまたは複数の噴出チャネル（複数可）１４６は、噴出入口１４４を噴出出口１５０に連結する。流体は、噴出入口１４４を通って噴出部に入り、中空内部１４８を有する１つまたは複数の噴出チャネル（複数可）１４６を通って流れる。流体は、噴出チャネル（複数可）内で、図示するように便器の上側部分に沿って噴出チャネル１４６（複数可）を流れ抜け、図示する実施形態では噴出出口１５０において出るが、この流体は、トイレ便器１２４の上側周囲部分１７１の近位のトイレ便器１２４の正面１７０まで図６に示すように流れｆ７に沿って流れるまでは噴出出口１５０の方向に下方向に進まない。
【００７４】
図６に示す少なくとも１つの噴出チャネル（複数可）１４６は、トイレ便器１２４の外側１５６周りを進むようトイレ便器アセンブリ本体１１６の内部１５４内を延びるように設計されるが、内方向に延びる棚部１５８のほぼ下方または下のトイレ便器アセンブリ本体１１６内に画定された空間１５５内に少なくとも部分的に存在するように配置される。噴出出口１５０は、噴出チャネル（複数可）１４６からの流体が、正面領域１７０内の、上側周囲部分１７１の近位から便器の底部近くの領域１５２までの任意の場所で上記で指摘したようにトイレ便器内に入り、トイレ便器入口ポート１４２に入りトイレ便器内部表面１３０内に形成された棚部１５８に沿って流れｆ４で進行した流体と合流するように配置される。流れｆ４は合流し、組み合わされた流体は一緒にほぼ下方向にトイレ便器の正面１７０上の内部表面１３０に沿ってトイレ便器１１２の底部１５２内に流れ、流れｆ７と合流し、次いで加圧された流れとしてトイレ便器出口１３６を出てトラップウエイ１２２に入る。この構造の利点は、水だめの下面（すなわち便器の台座の上部表面）の外形が、便器下方のより従来的な直接供給型噴出チャネルを取り外すことによって大きく簡易化され、その結果、トイレを溶化磁器から製造する際の収率を向上させ、コストを下げることができることである。
【００７５】
噴出チャネル（複数可）１４６からの水は、トラップウエイ１２２内の噴出出口ポート１５０または水だめから流れ出て、トイレ便器の出口１３６からのこの強力で加圧された水流を、トラップウエイ内でサイホン作用を開始するように方向付けて、便器を空にし、その内容物をトイレ便器アセンブリ出口１３８と連通している下水管に排出する。
所望の場合、少なくとも１つの開口部１６９が、さらなる洗浄能力を生み出すために、噴出流の一部分が便器の正面１７０において出て、棚部からの流れｆ４と共に下方向に進行することを可能にするために設けられてもよいが、そのような開口部（複数可）は任意選択にすぎない。
【００７６】
図２および図３を考慮することによって理解することができるように、水だめ３５、内部便器表面３０、および棚部５８の外形は、トイレ便器に対して長手方向の任意の基準面に対して鋭角のみを有するように形成される。そのような外形は、鋳造方法による製造において重要な利点をもたらす。図１５に示すように、単一の型Ｍは、鋳造部Ｐを妨げることなく挿入され、水だめ３５、内部便器表面３０、および棚部５８機構から抜き出すことができる。鈍角の角度、または標準的な従来技術の便鉢−トラップウエイ−リム部構造によって提示される大きなもしくは明らかに垂直の突き出し特徴の存在は、鋳造の際にそのような簡単な型の外形を使用することを妨げる。
【００７７】
図７および図８に示すように、蓋８２を、本明細書における１つの実施形態において形成することができ、これは、リム部を有さない、重力式のサイホン式トイレ用の独自のトイレ便器アセンブリを作り出す。蓋は、図１のトイレアセンブリの実施形態と共に示されるが、蓋はまた、図６の本明細書における実施形態と組み合わせることもできることが本開示に基づいて理解されよう。蓋８２は、好ましくは、上側蓋部分８４を有し、この上側蓋部分８４は、下側蓋に対する圧縮を回避し、ユーザが蓋８２の上部に着座するなどによって便座上にかけられた負荷に対する構造的支持をもたらすためのスペーサ支持体８６を含むことができる。トイレ蓋８２はまた、好ましくは、下側蓋８８も有する。下側蓋は、本明細書におけるリム部を有さないトイレと共に機能するように構成される。下側蓋８８の下側表面８９は、好ましくは、下側蓋支持体９０などのさらなる構造的支持体を有するように形成され、この支持体は、下側蓋の下側表面８９のいくらかまたは全てに沿って延びることができる。そのような支持体９０と共にスペーサ支持体８６、および所望の場合のトイレ蓋は、多様な材料、すなわち塗装木材、ポリマー材料、または複合材料から形成されてよい。便座バンパ９２が、好ましくは、支持体の下側表面に設けられる（または支持体無しで下側蓋の下側表面に直接的に設けられてよい）。バンパは、その底部に沿って、トイレ便器の上側周囲縁と接触するように構成された湾曲セクション９３を有することができる。蓋は、その後部に、当分野でよく知られている多様な標準的な便器取り付け装置の任意のものを有することができ、そのような取り付け装置を今後本発明の範囲に含めてよい。
【００７８】
上記で指摘した蓋は、本明細書における実施形態のリム部を有さないトイレ設計と共に良好に機能し、本発明の上側周囲縁がより狭小であることを鑑みて蓋に構造的支持および安定性をもたらす。
図１９から図２３Ｃを参照すると、便座３８３を有するリム部を有さない、サイホン式の重力式トイレ３００のさらなる実施形態が、示されている。この実施形態におけるトイレ３１０は、入口、出口、および本明細書における他の実施形態において詳細に説明したような他の特徴を備えたトイレ便器アセンブリ本体３１６を有するトイレ便器アセンブリ３１２を含む、上記のいずれかであってもよい。アセンブリ本体３１６内のトイレ便器３２４は、上側周囲縁３３２を備えた内部便器表面３３０を有する。便器３２４の内部領域は、流体を受け入れ、上記で説明したもののいずれかでよいトイレ便器アセンブリ入口と流体連通している。図１９に示すような内部便器表面３３０の上側周囲部分３７１は、上側周囲縁３３２の下方の表面の上側周囲部分３７１の一部に沿って延びる、表面内に形成された棚部３５８を有するように構成される。
【００７９】
トイレ便器はまた、出口および他の実施形態の方法における下水管への連結などの、上記で説明した他の特徴も有する。トイレ便器はまた、噴出部も含み、この噴出部は、トイレ便器アセンブリ入口と流体連通している噴出部内への入口と、トイレ便器アセンブリ出口３３８と連通している図示する噴出出口３５０とを有する、上記で指摘した形状の任意のものでよい。噴出部はまた、噴出入口と噴出出口の間を延びる少なくとも１つの噴出チャネルを有さなければならず、この噴出チャネルは、トイレ実施形態１０、１００、および２００に関して上記で指摘した形状のいずれかでよい。同様に、マニホールドが設けられ、このマニホールドは、マニホールド領域を有し、トイレ便器アセンブリ入口を入った流体が、噴出部の入口に入るための第１の部分と、トイレ便器の内部領域に入るための第２の部分とに分かれるように構成される。このマニホールドもまた、実施形態１０、１００および２００のトイレ便器内の上記で指摘したもののいずれかに類似することができる。
【００８０】
これもまた実施形態１０、１００、および２００において指摘したように、トイレ３００はまた、トイレ便器３２４の上側後部分３６０に配置された少なくとも１つのトイレ便器入口ポートも有する。少なくとも１つの、好ましくは２つの入口ポートは、流体をマニホールドからトイレ便器の内部領域内に受け入れるように構成されなければならず、それにより、流体の少なくとも一部分は、トイレ便器３２４の下側部分内３３４に進む前に、実施形態１０、１００、および２００における同じ方法でまたこれに図示するようにトイレ便器の棚部３５８に沿って進行する。トイレ３００はまた、たとえば図７および図８を参照して説明した便座の方法でトイレ便器３２４の上側周囲縁３３２を覆って嵌合するように構成された便座３８３も含むが、他の便座の実施形態が使用されてよいことを本開示に基づいて理解されたい。好ましい便座３８３は、上側蓋カバー３８４と、便座バンパ３９２、好ましくは、２つまたはそれ以上のそのようなバンパ、図示するように４つのそのようなバンパを有する下側表面３８９を有する下側蓋３８８とを備えた蓋３８２を有する。バンパ３９２は、リム部を有さないトイレ便器の上側周囲縁３３２と接触するように構成され、それにより、バンパ３９２は、便座３８３がトイレの上側周囲縁を覆う下げられた位置にあるときに上側周囲縁３３２と当接する。
【００８１】
図１９〜図２３Ｃに示すように、上側部分３９６、および下方向に延びる部分３９４を有する水はねガード３９８が設けられる。外部表面３９１は、マニホールド領域内の上側表面３４０を覆ってほぼ平坦に着座し、内部表面３８７は、トイレ便器３２４の上側後部分３６０の一部を覆って、好ましくは棚部３５８の後部分３６５を覆って着座するように構成される。水はねガード３９８は、便座３８３、具体的にはツーピース便座内の下側蓋３８８の下、およびマニホールド領域内の表面３４０を部分的に覆って延びるトイレ便器の上側後部分３６０の上方の領域内に嵌合するように成形され構成され、トイレ便器３２４の後部分３６０の形状を補完する。図示する実施形態における水はねガード３９８は、図２３Ａに最適に示すような横断面において以下で説明する外方向に延びる部分３８５に沿ってほぼ直角αを形成する。好ましくは、追加の安定性のため、また水が上方向に拡張することを回避するために、水はねガードはまた、便座上のヒンジ３６７に向かって後方に延びるように形成された後方向に延びる部分３６９も有する。
【００８２】
水はねガード３９８はまた、少なくとも１つのトイレ入口ポートを少なくとも覆い、上方向の水はねを遮るために、トイレ便器の後部分３６０から流れＤの方向に、便器の上側周囲縁３３２に少なくとも部分的に沿ってトイレ便器３２４の正面３７０に向かって延びる１つまたは複数の外方向に延びる端部分（複数可）３８５を有するように構成される。この実施形態におけるそのようなポート（複数可）は、実施形態１０、１００、および２００に示すものと同一でよく、便器の後方部分３６０の、図１９の水はねガード３９８の下方に配置される。好ましくは、水はねガード上には、２つのトイレ便器入口ポートと、２つの外方向に延びる端部分とが存在する。
【００８３】
水はねガード３９８の外方向に延びる部分（複数可）３８５は、好ましくは、各々が便座３８３上の任意のバンパ３９２の後方、たとえば図示するように位置Ｅで終端する。水が何らかの力によって便器の後部において出るとき、水はねガードは、特に便座３８３が下方向位置にない場合に起こり得るいかなる上方向の水はねも軽減する。
【００８４】
実施形態１０、１００、および２００に示すように、トイレ３００はまた、開口部７８として図１０に最適に示す任意選択の開口部を含むこともでき、この開口部７８は、たとえば図１に見られる開口部４２などの２つのトイレ便器入口ポート間に配置されて、２つのトイレ便器入口ポートの間辺りのトイレ便器の内部表面３３０の後領域３６０を清掃するために、流体の一部分を、トイレマニホールドおよび／または噴出チャネル（複数可）からトイレ便器内に（これもまた実施形態１０、１００、および２００に示すように）ほぼ下方向に導く。たとえば図１、図２、および図１０〜図１４に示すような任意選択の分配器もまた、トイレ３００に含められてよいが、好ましくは、水はねガード３９８が、少なくとも部分的に、好ましくは実質的に完全に、または完全に分配器を覆うように図示するように位置付けられる。分配器は、２つのトイレ便器入口ポートの間の開口部を少なくとも部分的に覆うように図１、図２、および図１０〜図１４に示すように配置されなければならない。水はねガードは、便座と同じように、容易にユーザによって清掃のために取り外され、取り替えられ得る。
【００８５】
実施形態４００として説明し、図１６から図１８に示す、本明細書のリム部を有さない、サイホン式の重力式トイレの別の実施形態では、独自の水はねガード４９８を含むトイレ便器アセンブリ４１２が示される。水はねガード４９８は、別個の取り外し可能な部分ではなく、トイレの成形中にトイレ便器の本体内に形成されることを除いて、水はねガード３９８に類似する。そのようなトイレ便器アセンブリ本体４１６およびトイレ便器４２４は、水はねガード４９８として成形されるものを除いて、その他の全ての点では実施形態１０、１００、２００、および３００におけるトイレ便器と同一でよく、したがって便宜上、便器および便器アセンブリの各々、１２、２４、１１２、１２４、２１２、２２４および３１０、３２４はそれぞれ、追加の水はねガード４９８以外は全体にわたって同じ部分を有することを本開示に基づいて当業者は理解するであろう。
【００８６】
図１６に示すように、マニホールド領域内のトイレ便器の上側表面４４０の一部分４９４は、少なくとも１つの入口ポート４４２および棚部４５８の後部分４６５を覆うように下方向に延びるように構成され、それによって少なくとも１つの入口ポート４４２から棚部４５８に入った水に対する水はねガードとして作動する。こうして、マニホールド領域内のトイレ便器の上側表面４４０の一部分４６３が、水はねガードとして作動する。部分４６３は、好ましくは、水はねガード４９８の下方向に延びる部分４９４を形成するように曲がり、上記で説明した取り外し可能な水はねガード３９８の実施形態と同様に、図１６に最適に示すように横断面においてほぼ直角である角度α’を形成する。取り外し可能な単体の水はねガードに対して、「ほぼ」直角は、トイレの後部分におけるさまざま異なる設計に対応するために、角度α、α’に対して、たとえば但しそれだけに限定されないが、±１５°などの何らかの変動が設けられてよく、および／または下方向の急な角度の代わりにより滑らかな曲線を有することもできることを意味する。
【００８７】
水はねガード４９８は、好ましくは、トイレ便器の上側表面４４０の一部分４６３の外方向に延びる部分（複数可）４６１も含み、この部分４６１は、好ましくは下方向に延びる部分４９４と共に水はねガードとして作動し、便座がトイレ便器４２４の上側周囲縁４３２と接触する位置Ｅ’の後方で各々が終端するように構成される。上記で指摘したように、２つのトイレ便器入口ポート４４２が、実施形態１０、１００、および２００において上記で指摘され図１、図２、および図１０〜図１４で最適に示す中央開口部および分配器と同じでよい、２つの入口の中心における任意選択の開口部および／または分配器と共に設けられてよい。２つの入口が設けられる場合、２つの外方向に延びる端部分４６１は、水はねガード４９８内に含まれる。分配器は、２つのトイレ便器入口ポート４４２間の中央開口部を少なくとも部分的に覆うために、これもまた図１、図２、および図１０〜図１４に示すように配置されなければならない。
【００８８】
上記で説明した実施形態に対して、その広範な発明概念から逸脱することなく変更を加えることができることを当業者は理解するであろう。したがって、本発明は、開示した特定の実施形態に限定されず、付属の特許請求の範囲によって定義された本発明の趣旨および範囲内の改変形態を対象とするよう意図されることが理解される。
【図１】
2015518097.tif 000003
【図２】
2015518097.tif 000004
【図３】
2015518097.tif 000005
【図４】
2015518097.tif 000006
【図５】
2015518097.tif 000007
【図５Ａ】
2015518097.tif 000008
【図６】
2015518097.tif 000009
【図７】
2015518097.tif 000010
【図８】
2015518097.tif 000011
【図９】
2015518097.tif 000012
【図１０】
2015518097.tif 000013
【図１１】
2015518097.tif 000014
【図１２】
2015518097.tif 000015
【図１３】
2015518097.tif 000016
【図１４】
2015518097.tif 000017
【図１５】
2015518097.tif 000018
【図１６】
2015518097.tif 000019
【図１７】
2015518097.tif 000020
【図１８】
2015518097.tif 000021
【図１９】
2015518097.tif 000022
【図２０】
2015518097.tif 000023
【図２１】
2015518097.tif 000024
【図２２】
2015518097.tif 000025
【図２３Ａ】
2015518097.tif 000026
【図２３Ｂ】
2015518097.tif 000027
【図２３Ｃ】
2015518097.tif 000028
【国際調査報告】
2015518097.tif 000029
2015518097.tif 000030
2015518097.tif 000031